(57)【要約】【課題】人工物体を識別するためのコンピュータ実施方法を提供する。【解決手段】方法は、センサにおける１つまたは複数の電極を用いて、センサに触れるように置かれた人工物体の１つまたは複数の事前定義された表面を測定することによって得られた静電容量データを受信するステップと、得られた静電容量データのそれぞれを、３つ以上の評価レベルを有する評価システムにおける評価レベルに変換して、人工物体の表面上の静電容量分布を得るステップと、得られた静電容量分布が、１つの事前登録された静電容量分布、もしくは複数の事前登録された静電容量分布のうちの１つと合致するかどうかを判定するステップと、その判定結果が肯定的である場合、その人工物体が識別されたと結論づけるステップを備える。この方法は、人工物体が識別された場合、その人工物体に関連付けられたユーザを識別するステップ、またはそのようなユーザの認証を実行するステップをさらに備えることが可能である。【選択図】図１７
2017092959.tif 000002
【特許請求の範囲】
【請求項１】
人工物体を識別するための方法であって、
センサにおける１つまたは複数の電極を用いて、前記センサに触れるように置かれた前記人工物体の１つまたは複数の事前定義された表面を測定することによって得られた静電容量データを受信するステップと、
前記得られた静電容量データのそれぞれを、３つ以上の評価レベルを有する評価システムにおける評価レベルに変換して、前記人工物体の前記表面上の静電容量分布を得るステップと、
前記得られた静電容量分布が、１つの事前登録された静電容量分布、もしくは複数の事前登録された静電容量分布のうちの１つと合致するかどうかを判定するステップと、
前記判定結果が肯定的である場合、前記人工物体が識別されたと結論づけるステップとを含む方法。
【請求項２】
前記人工物体の前記事前定義された表面は、シグネットの面である方法であって、
前記人工物体の同一の部分を測定することによって得られた押印画像データを受信するステップと、
前記センサを使用して、前記シグネットの前記面に関する押印画像データを識別するステップとをさらに含み、
前記判定するステップは、前記得られた静電容量分布と前記押印画像データのペアが、静電容量分布と押印画像データの事前登録された１つのペア、もしくは静電容量分布と押印画像データの事前登録された複数のペアのうちの１つと合致するかどうかを判定するステップを含む、請求項１に記載の方法。
【請求項３】
前記人工物体が識別された場合、前記人工物体に関連付けられたユーザを識別するステップ、または前記人工物体に関連付けられたユーザの認証を実行するステップをさらに含む、請求項１又は２に記載の方法。
【請求項４】
前記人工物体が識別された場合、前記人工物体に関連付けられたユーザの意図を識別するステップをさらに含む、請求項１乃至３のいずれかに記載の方法。
【請求項５】
前記人工物体が識別された場合、前記得られた静電容量分布を暗号化キー、復号キー、プライベート・キー、アンロック・キー、または識別子として使用するステップ、あるいは前記得られた静電容量分布を暗号化キー、復号キー、プライベート・キー、アンロック・キー、または識別子を生成するための種として使用するステップをさらに含む、請求項１乃至４のいずれかに記載の方法。
【請求項６】
前記判定するステップは、前記得られた静電容量分布の全体もしくは部分が、１つの事前登録された静電容量分布の全体もしくは部分、または複数の事前登録された静電容量分布のうちの１つの全体もしくは部分と合致するかどうかを判定するステップ、あるいは前記得られた静電容量分布の特徴ポイントのすべてもしくは部分が、１つの事前登録された静電容量分布の特徴ポイントのすべてもしくは部分、または複数の事前登録された静電容量分布のうちの１つのすべてもしくは部分と合致するかどうかを判定するステップを含む、請求項１乃至５のいずれかに記載の方法。
【請求項７】
前記人工物体の１つまたは複数の事前定義された表面が前記センサの表面と接触している場合、前記測定された静電容量は、前記センサの前記表面と接触しているポイントにおいて測定された静電容量、前記センサの前記表面と接触していないポイントにおいて測定された静電容量、または前記センサの前記表面と接触しているポイントにおいて測定された静電容量と前記センサの前記表面と接触していないポイントにおいて測定された静電容量の組合せである、請求項１乃至６のいずれかに記載の方法。
【請求項８】
前記測定静電容量は、前記人工物体が前記センサの表面と接触していない場合に測定された静電容量である、請求項１乃至７のいずれかに記載の方法。
【請求項９】
前記評価レベルは、マルチビットによって表されるグレーの様態で表現される、請求項１乃至８のいずれかに記載の方法。
【請求項１０】
前記人工物体の前記事前定義された表面は、異なるレベルの凸凹を有し、または有せず、かつ異なる導電性または異なる誘電率を有する複数の材料から垂直に、または水平に、あるいは垂直および水平に構成された１つまたは複数のくぼみを有する、請求項１乃至９のいずれかに記載の方法。
【請求項１１】
前記人工物体の前記材料は、１つまたは複数の金属、１つまたは複数の導電性ポリマー、１つまたは複数の導電性充填材、１つまたは複数の導電性接着剤、１つまたは複数の導電性コーティング材料、および以上の組合せから成る群から選択される、請求項１０に記載の方法。
【請求項１２】
前記複数の材料は、交互に、あるいはランダムな様態で、傾斜様態で、または格子様態で配置される、請求項１１に記載の方法。
【請求項１３】
前記人工物体の１つまたは複数の事前定義された表面は、１つまたは複数のくぼみと、前記くぼみの表面以外の表面に対して斜めである前記くぼみの側壁または底部とを有する、請求項１乃至１２のいずれかに記載の方法。
【請求項１４】
前記人工物体は、前記表面から不定の近接した位置に１つまたは複数の空洞を有する、請求項１乃至１３のいずれかに記載の方法。
【請求項１５】
前記人工物体の１つまたは複数の事前定義された表面は、１つまたは複数の導電性ポリマーで覆われる、または１つまたは複数の導電性コーティング材料を塗られる、請求項１乃至１４のいずれかに記載の方法。
【請求項１６】
プロセッサと、
前記プロセッサ上で実行されると、人工物体を識別するための動作を実行するプログラムを記憶するメモリとを備えるシステムであって、
前記動作は、
センサにおける１つまたは複数の電極を用いて、前記センサに触れるように置かれた前記人工物体の１つまたは複数の事前定義された表面を測定することによって得られた静電容量データを受信することと、
前記得られた静電容量データのそれぞれを、３つ以上の評価レベルを有する評価システムにおける評価レベルに変換して、前記人工物体の前記表面上の静電容量分布を得ることと、
前記得られた静電容量分布が、１つの事前登録された静電容量分布、もしくは複数の事前登録された静電容量分布のうちの１つと合致するかどうかを判定することと、
前記判定結果が肯定的である場合、前記人工物体が識別されたと結論づけることとを含む、システム。
【請求項１７】
前記人工物体の前記事前定義された表面は、シグネットの面であるシステムであって、
前記動作は、
前記人工物体の同一の部分を測定することによって得られた押印画像データを受信することと、
前記センサを使用して、前記シグネットの前記面に関する押印画像データを識別することとをさらに含み、
前記判定することは、前記得られた静電容量分布と前記押印画像データのペアが、静電容量分布と押印画像データの事前登録された１つのペア、もしくは静電容量分布と押印画像データの事前登録された複数のペアのうちの１つと合致するかどうかを判定することを含む、請求項１６に記載のシステム。
【請求項１８】
前記動作は、前記人工物体が識別された場合、前記人工物体に関連付けられたユーザを識別すること、または前記人工物体に関連付けられたユーザの認証を実行することをさらに含む、請求項１６または１７に記載のシステム。
【請求項１９】
前記動作は、前記人工物体が識別された場合、前記人工物体に関連付けられたユーザの意図を識別することをさらに含む、請求項１６乃至１８のいずれかに記載のシステム。
【請求項２０】
前記動作は、前記人工物体が識別された場合、前記得られた静電容量分布を暗号化キー、復号キー、プライベート・キー、アンロック・キー、または識別子として使用すること、あるいは前記得られた静電容量分布を暗号化キー、復号キー、プライベート・キー、アンロック・キー、または識別子を生成するための種として使用することをさらに含む、請求項１６乃至１９のいずれかに記載のシステム。
【請求項２１】
前記判定することは、前記得られた静電容量分布の全体もしくは部分が、１つの事前登録された静電容量分布の全体もしくは部分、または複数の事前登録された静電容量分布のうちの１つの全体もしくは部分と合致するかどうかを判定すること、あるいは前記得られた静電容量分布の特徴ポイントのすべてもしくは部分が、１つの事前登録された静電容量分布の特徴ポイントのすべてもしくは部分、または複数の事前登録された静電容量分布のうちの１つの特徴ポイントのすべてもしくは部分と合致するかどうかを判定することを含む、請求項１６乃至２０のいずれかに記載のシステム。
【請求項２２】
コンピュータに人工物体を識別させるためのコンピュータ・プログラムであって、
前記コンピュータに、
センサにおける１つまたは複数の電極を用いて、前記センサに触れるように置かれた前記人工物体の１つまたは複数の事前定義された表面を測定することによって得られた静電容量データを受信するステップと、
前記得られた静電容量データのそれぞれを、３つ以上の評価レベルを有する評価システムにおける評価レベルに変換して、前記人工物体の前記表面上の静電容量分布を得るステップと、
前記得られた静電容量分布が、１つの事前登録された静電容量分布、もしくは複数の事前登録された静電容量分布のうちの１つと合致するかどうかを判定するステップと、
前記判定結果が肯定的である場合、前記人工物体が識別されたと結論づけるステップとを含む方法を実行させる、コンピュータ・プログラム。
【請求項２３】
静電容量分布に関連することが可能な人工物体であって、
前記静電容量分布は、静電容量データのそれぞれを、少なくとも３つの評価レベルを有する評価システムにおける評価レベルに変換することによって得られ、前記静電容量データは、センサにおける１つまたは複数の電極を用いて、前記センサに触れるように置かれた前記人工物体の１つまたは複数の事前定義された表面を測定することによって得られ、
前記人工物体の１つまたは複数の事前定義された表面、または前記人工物体の１つまたは複数の事前定義された表面から不定の近接した位置にある前記人工物体の部分は、１つまたは複数の金属、１つまたは複数の導電性ポリマー、１つまたは複数の導電性充填材、１つまたは複数の導電性接着剤、１つまたは複数の導電性コーティング材料、および以上の組合せから成る群から選択された材料から構成される、人工物体。
【請求項２４】
前記人工物体の１つまたは複数の定義された表面、あるいは１つまたは複数の事前定義された表面から不定の近接した位置にある前記人工物体の部分は、異なる導電性または異なる誘電率を有する複数の材料から構成される、請求項２３に記載の人工物体。
【請求項２５】
前記複数の材料は、交互に、あるいはランダムな様態で、傾斜様態で、または格子様態で配置される、請求項２３または２４に記載の人工物体。
【発明の詳細な説明】
【技術分野】
【０００１】
本発明は、人工物体の識別に関し、特に、静電容量を測定することが可能なセンサによって人工物体を識別することに関する。さらに、本発明は、そこにおいて使用される人工物体に関する。
【背景技術】
【０００２】
日本国や中華人民共和国等において承認として文書に押印することが通常の慣行である。
【０００３】
電子文書法が、日本国で２００５年４月に発効された。電子文書法は、企業が、財務文書、会計記録、および税務文書などの法律上、保持することを要求される文書を電子的に記憶することを許可する。
【０００４】
特開２００２−３００１５７が、特定のＩＤ番号情報を記憶するストレージ手段と、電磁波上にＩＤ番号情報を含める手段と、そのＩＤ番号情報を含む電磁波を送信する手段とを備える、電子印鑑を含む電子印鑑システムについて説明する（要約書を参照されたい）。
【０００５】
特開２０１２−１１８６３７が、静電容量システム・タッチパネルを使用するタブレット型コンピュータと、そのタブレット型コンピュータにおける静電容量変動から成る識別情報を入力することができる電子印鑑とを備える認証システムについて説明する。
【０００６】
米国特許第７，６８３，８８８号が、シグネットを認識するため、およびそのシグネットに関連付けられたアクションを実行するためのシステムおよび方法であって、そのシグネットは、無生物の物体であり、その方法は、シグネットでタッチ信号を生成することであって、そのタッチ信号は、特定のシグネット・パターンを表す、生成することと、その特定のシグネット・パターンを認識することと、その特定のシグネット・パターンに関連付けられたアクションを実行することとを含む、システムおよび方法について説明する。
【０００７】
しかし、特開２００２−３００１５７において説明される電子印鑑と特開２０１２−１１８６３７において説明される電子印鑑はともに、印鑑の内部に電源供給装置および電気回路を必要としており、したがって、これらの電子印鑑は、高コストである。さらに、米国特許第７，６８３，８８８号において、シグネットが、シグネット・パターンを参照することによって容易に複製され得ることが、望ましくなく、このことは、セキュリティ問題をもたらす。
【先行技術文献】
【特許文献】
【０００８】
【特許文献１】特開２００２−３００１５７
【特許文献２】特開２０１２−１１８６３７
【特許文献３】米国特許第７，６８３，８８８号
【特許文献４】国際公開第２０１４０８０９２４号
【非特許文献】
【０００９】
【非特許文献１】Ｓａｔｏｓｈｉ  Ｔｅｔｕｊｉ他、「Ｔｈｅ  Ｍｅｔｈｏｄ  ｏｆ  Ｒｅｄｕｃｉｎｇ  Ｒｅｓｐｏｎｓｅ  Ｔｉｍｅ  ｏｎ  Ｐｒｏｘｉｍｉｔｙ  ａｎｄ  Ｔａｃｔｉｌｅ  Ｓｅｎｓｏｒ」、Ｐｒｏｃ．ｏｆ  ５ｔｈ  Ｉｎｔｅｒｎａｔｉｏｎａｌ  Ｓｙｍｐｏｓｉｕｍ  ｏｎ  Ａｄｖａｎｃｅｄ  Ｃｏｎｔｒｏｌ  ｏｆ  Ｉｎｄｕｓｔｒｉａｌ  Ｐｒｏｃｅｓｓｅｓ（ＡＤＣＯＮＩＰ  ２０１４）、１６５頁ないし１６９頁、２０１５年５月
【発明の概要】
【発明が解決しようとする課題】
【００１０】
したがって、本発明の実施形態の目的は、文書のための通常の印鑑として使用されることが可能な低コストの印鑑を使用する電子印鑑システムを提供することである。さらに、本発明の実施形態の目的は、低コストの印鑑を使用する、より強いセキュリティで保護された電子印鑑システムを提供することである。
【課題を解決するための手段】
【００１１】
本発明の一態様によれば、本発明の一実施形態が、人工物体を識別するための方法を提供する。この方法は、コンピュータ、あるいはニューロモーフィック・チップ、例えば、ＩＢＭ（Ｒ）ＴｒｕｅＮｏｒｔｈ（Ｒ）チップなどのハードウェア・プロセッサにおいて実施されることが可能である。この方法は、センサにおける１つまたは複数の電極を用いて、センサに触れるように置かれた人工物体の１つまたは複数の事前定義された表面を測定することによって得られた静電容量データを受信するステップと、得られた静電容量データのそれぞれを、３つ以上の評価レベルを有する評価システムにおける評価レベルに変換して、人工物体の表面上の静電容量分布を得るステップと、得られた静電容量分布が、１つの事前登録された静電容量分布、もしくは複数の事前登録された静電容量分布のうちの１つと合致するかどうかを判定するステップと、判定結果が肯定的である場合、その人工物体が識別されたと結論づけるステップとを含む。
【００１２】
本発明の別の態様によれば、本明細書で説明される１つまたは複数の方法を実行するようにシステムによって実行可能な命令のプログラムを記憶するコンピュータ可読記憶媒体を備えるコンピュータ・システムなどのシステムが、提供されることが可能である。このシステムは、プロセッサと、プロセッサによって実行されると、人工物体を識別するための動作を実行するプログラムを記憶するメモリとを備える。この動作は、センサにおける１つまたは複数の電極を用いて、センサに触れるように置かれた人工物体の１つまたは複数の事前定義された表面を測定することによって得られた静電容量データを受信することと、得られた静電容量データのそれぞれを、３つ以上の評価レベルを有する評価システムにおける評価レベルに変換して、人工物体の表面上の静電容量分布を得ることと、得られた静電容量分布が、１つの事前登録された静電容量分布、もしくは複数の事前登録された静電容量分布のうちの１つと合致するかどうかを判定することと、判定結果が肯定的である場合、その人工物体が識別されたと結論づけることとを含む。
【００１３】
本発明の別の態様によれば、本明細書で説明される１つまたは複数の方法を実行するようにシステムによって実行可能な命令のプログラムを記憶するコンピュータ可読記憶媒体を備えるコンピュータ・プログラム製品が、提供されることが可能である。このコンピュータ・プログラム製品は、プログラム命令が具現化されているコンピュータ可読記憶媒体を備え、そのコンピュータ可読記憶媒体は、一時的な信号そのものではない。それらのプログラム命令は、コンピュータに、センサにおける１つまたは複数の電極を用いて、センサに触れるように置かれた人工物体の１つまたは複数の事前定義された表面を測定することによって得られた静電容量データを受信するステップと、得られた静電容量データのそれぞれを、３つ以上の評価レベルを有する評価システムにおける評価レベルに変換して、人工物体の表面上の静電容量分布を得るステップと、得られた静電容量分布が、１つの事前登録された静電容量分布、もしくは複数の事前登録された静電容量分布のうちの１つと合致するかどうかを判定するステップと、判定結果が肯定的である場合、その人工物体が識別されたと結論づけるステップとを含む方法を実行させるようにコンピュータによって実行可能である。
【００１４】
本発明の別の態様によれば、人工物体が提供されることが可能である。この人工物体は、静電容量分布に関連付けられることが可能である。その静電容量分布は、静電容量データのそれぞれを、３つ以上の評価レベルを有する評価システムにおける評価レベルに変換することによって得られる。その静電容量データは、センサにおける１つまたは複数の電極を用いて、センサに触れるように置かれた人工物体の１つまたは複数の事前定義された表面を測定することによって得られる。人工物体の１つまたは複数の事前定義された表面、または人工物体の１つまたは複数の事前定義された表面から不定の近接した位置にある人工物体の部分は、１つまたは複数の金属、１つまたは複数の導電性ポリマー、１つまたは複数の導電性充填材、１つまたは複数の導電性接着剤、１つまたは複数の導電性コーティング材料、および以上の組合せから成る群から選択された材料から構成される。
【００１５】
本発明の実施形態によれば、文書のための通常のシグネットとして使用され得る、本発明の実施形態によるより安価な人工物体が、提供されることが可能である。さらに、本発明の実施形態によれば、人工物体を複製することは困難であり得る。さらに、本発明の実施形態によれば、より強いセキュリティで保護された電子印鑑システムが提供されることが可能である。
【００１６】
前段で説明されている本発明の概略は、本発明の必要なすべての特徴を列挙しているわけではない。これらの構成要素の組合せまたは部分的組合せが本発明であることも可能であることに留意されたい。
【００１７】
当業者が、本発明の一実施形態において使用されるコンピュータのハードウェア構成要素を複数のマシンと組み合わせること、および機能をそれらのマシンに分散させて、それらの機能を実施することなどの、様々な変更を容易に想定することができることは言うまでもない。それらの変更は、本発明の着想に自然に含まれる概念である。しかし、これらの構成要素は、例示であり、これらすべての構成要素が、本発明の不可欠な構成要素であるわけではない。
【００１８】
本発明は、ハードウェアとして、ソフトウェアとして、またはハードウェアとソフトウェアの組合せとして実現され得る。ハードウェアとソフトウェアの組合せによる実行の通常の例は、コンピュータ・プログラムをインストールされたコンピュータにおけるコンピュータ・プログラムの実行を含む。そのような事例において、そのコンピュータ・プログラムは、コンピュータのメモリにロードされ、実行されて、その結果、そのコンピュータ・プログラムが、本発明による処理を実行するようにコンピュータを制御する。そのコンピュータ・プログラムは、任意の言語、コード、または表記法によって表現され得るコマンド・グループから構成されることが可能である。そのようなコマンド・グループは、コンピュータが、特定の機能を、直接に、あるいは（ａ）別の言語、コード、または表記法に変換することと、（ｂ）別の媒体にコピーすることのいずれか、または両方が実行された後に実行することを可能にする。
【図面の簡単な説明】
【００１９】
【図１】本発明の実施形態において使用されるデバイスを示す例示的な基本ブロック図である。
【図２】本発明による実施形態において使用されるサーバ・コンピュータを示す例示的な基本ブロック図である。
【図３】人工物体の表面上の静電容量分布を事前登録された静電容量分布としてストレージに登録するためのプロセスの流れ図の一実施形態を示す図である。
【図４】人工物体の表面上の静電容量分布と押印画像データのペアを、静電容量分布と押印画像データの事前登録されたペアとしてストレージに登録するためのプロセスの流れ図の別の実施形態を示す図である。
【図５】得られた静電容量分布が、１つの事前登録された静電容量分布、もしくは複数の事前登録された静電容量分布のうちの１つと合致するかどうかを判定するためのプロセスの流れ図の一実施形態を示す図である。
【図６】得られた静電容量分布と押印画像データのペアが、静電容量分布と押印画像データの事前登録された１つのペア、もしくは静電容量分布と押印画像データの事前登録された複数のペアのうちの１つと合致するかどうかを判定するためのプロセスの流れ図の一実施形態を示す図である。
【図７】人工物体に関連付けられたユーザを識別するため、またはそのようなユーザの認証を実行するためのプロセスの流れ図の一実施形態を示す図である。
【図８】得られた静電容量分布をキーまたは識別子として使用するためのプロセスの流れ図の一実施形態を示す図である。
【図９】得られた静電容量分布を、キーまたはＩＤを生成するための種として使用するためのプロセスの流れ図の一実施形態を示す図である。
【図１０】人工物体に関連付けられたユーザの意図を識別するためのプロセスの流れ図の一実施形態を示す図である。
【図１１】センサ上の人工物体の検出の実施形態を示す図である。
【図１２】静電容量分布の実施形態を示す図である。
【図１３】様々な人工物体の実施形態を示す図である。
【図１４】様々な人工物体の実施形態を示す図である。
【図１５】本発明の実施形態により使用される様々なユーザ・インターフェースの実施形態を示す図である。
【図１６】ゲームの駒である人工物体の実施形態を示す図である。
【図１７】センサおよびデバイスの全体的な機能ブロック図の一実施形態を示す図である。
【図１８】センサ、デバイス、およびサーバ・コンピュータの全体的な機能ブロック図の一実施形態を示す図である。
【発明を実施するための形態】
【００２０】
本発明の様々な実施形態の説明は、例示の目的で提示されているが、網羅的であることも、開示される実施形態に限定されることも意図していない。説明される実施形態の範囲および趣旨を逸脱することなく、多くの変形および変更が当業者には明白となろう。本明細書で使用される用語法は、本発明の原理、実際的な応用、または市場において見られる技術に優る技術的改良を最もよく説明するように、あるいは当業者が本明細書で開示される実施形態を理解することを可能にするように選択されている。
【００２１】
本明細書で使用される用語をより明確に定義するのに、以下の例示的な定義が与えられるが、それらの用語の意味は、本発明が関係する技術分野に知られているとおりに広く解釈されなければならない。
【００２２】
「人工物体」という用語は、自然の産物以外の任意の物体を指すことが可能である。本発明において、導電性を有する人工物体が使用されることが可能である。本発明の実施形態による人工物体は、静電容量分布に関連付けられることが可能である。その静電容量分布は、静電容量データのそれぞれを、３つ以上の評価レベルを有する評価システムにおける評価レベルに変換することによって得られる。その静電容量データは、センサにおける１つまたは複数の電極を用いて、センサに触れるように置かれた人工物体の１つまたは複数の事前定義された表面を測定することによって得られる。
【００２３】
人工物体の１つまたは複数の事前定義された表面、または人工物体の事前定義された表面に近接している人工物体の部分は、１つまたは複数の金属、１つまたは複数の導電性ポリマー、１つまたは複数の導電性充填材、１つまたは複数の導電性接着剤、１つまたは複数の導電性コーティング材料、および以上の組合せから成る群から選択された材料から構成される。
【００２４】
当業者は、当技術分野において知られる、任意の金属、任意の導電性ポリマー、任意の導電性充填材、任意の導電性接着剤、または任意の導電性コーティング材料を使用することができる。
【００２５】
１つまたは複数の金属は、例えば、銀、銅、金、アルミニウム、モリブデン、亜鉛、リチウム、タングステン、黄銅、炭素（ｅｘＰＡＮ）、ニッケル、鉄、パラジウム、白金、スズ、青銅６７Ｃｕ３３Ｚｎ、炭素鋼、鉛、チタン、ステンレス鋼３１６Ｌ  ＥＮ１．４４０４、ステンレス鋼３０４  ＥＮ１．４３０１、水銀、Ｆｅ−Ｃｒ合金、およびステンレス鋼３１０  ＥＮ１．４８４１から成るが、以上には限定されない群から選択されることが可能である。
【００２６】
１つまたは複数の導電性ポリマーが、例えば、共役導電性ポリマー、電荷移動ポリマー、イオン伝導ポリマー、および導電性充填ポリマーから成るが、以上には限定されない群から選択されることが可能である。
【００２７】
１つまたは複数の導電性充填材が、例えば、ダイヤモンド、銀、窒化アルミニウム、β−窒化ホウ素、および酸化亜鉛から成るが、以上には限定されない群から選択されることが可能である。
【００２８】
１つまたは複数の導電性接着剤が、例えば、銅導電性接着剤、銀導電性接着剤、およびシリコーン導電性接着剤から成るが、以上には限定されない群から選択されることが可能である。
【００２９】
１つまたは複数の導電性コーティング材料が、例えば、導電性ポリマーから成るが、以上には限定されない群から選択されることが可能である。
【００３０】
例示的な人工物体は、例えば、シグネット、バッジ、キー、筆記用具、スタイラス・ペン、カード、リング、ペンダント、眼鏡、腕時計、またはゲームの駒であることが可能であるが、以上には限定されない。人工物体がシグネットである場合、そのシグネットは、１つの面を有しても、複数の面を有してもよい。シグネットが複数の面を有する場合、各面は、例えば、異なる文字、または異なる図柄を有することが可能であるが、以上には限定されない。例えば、シグネットは、「承認」の面、「却下」の面、および「未決」の面を有することが可能である。その複数の面のうちの各面が、ユーザの意図として適切に使用されることが可能である。
【００３１】
「センサ」という用語は、静電容量を測定することが可能な任意のセンサを指すことが可能である。そのセンサは、静電容量センサであることが可能である。それらの静電容量センサは、導電性である、または空気の誘電性とは異なる誘電性を有するものであればなんであれ検出することが可能である。当技術分野で知られる多くのタイプのセンサが、静電容量センサとして使用されることが可能である。
【００３２】
一実施形態において、３つのタイプの静電容量感知、すなわち、表面型静電容量タイプ、投影型静電容量タイプ、および相互型静電容量タイプが、通常、使用されることが可能である。本発明において、投影型静電容量タイプが選好されることが可能である。投影型静電容量センサは、当技術分野においてよく知られている。導電性物体である人工物体は、投影型静電容量タッチパネルと接触すると、そのポイントにおける局所的静電界を歪ませる。このことは、静電容量における電荷として測定可能である。
【００３３】
別の実施形態において、３Ｄタッチパネルにおいて２つのタイプの静電容量センサ、すなわち、国際公開第２０１４０８０９２４号、およびＳａｔｏｓｈｉ  Ｔｅｔｕｊｉ他、「Ｔｈｅ  Ｍｅｔｈｏｄ  ｏｆ  Ｒｅｄｕｃｉｎｇ  Ｒｅｓｐｏｎｓｅ  Ｔｉｍｅ  ｏｎ  Ｐｒｏｘｉｍｉｔｙ  ａｎｄ  Ｔａｃｔｉｌｅ  Ｓｅｎｓｏｒ」、Ｐｒｏｃ．ｏｆ  ５ｔｈ  Ｉｎｔｅｒｎａｔｉｏｎａｌ  Ｓｙｍｐｏｓｉｕｍ  ｏｎ  Ａｄｖａｎｃｅｄ  Ｃｏｎｔｒｏｌ  ｏｆ  Ｉｎｄｕｓｔｒｉａｌ  Ｐｒｏｃｅｓｓｅｓ（ＡＤＣＯＮＩＰ  ２０１４）、１６５頁ないし１６９頁、２０１５年５月において説明される平面型静電容量センサおよび平行型静電容量センサが、通常、使用されることが可能である。平行型静電容量センサは、静電容量を測定することができるだけでなく、接触している材料を識別することもできる。
【００３４】
センサは、周辺デバイスとしてセンサ・デバイスにおけるタッチパネルなどのディスプレイにおいて、またはデバイスの本体において実装されることが可能である。タッチパネルは、３Ｄタッチパネルであることが可能である。本発明の実施形態により導電性物体または人工物体を検出することができ、かつ３Ｄタッチパネル上でそのような物体を認識するとともに、３Ｄタッチパネル上のタッチを認識することができる３Ｄタッチパネルは、デバイス技術の進歩につれて登場しつつある。センサ・デバイスは、タッチパッド、例えば、３Ｄタッチパッドまたはフォース・タッチパッドなどのタッチ製品であることが可能である。デバイスの本体とは、例えば、キーボードまたはディスプレイに組み込まれることが可能なセンサを意味する。
【００３５】
本発明の実施形態が、図面を参照して後段で説明される。後段で参照される図面のすべてにわたって、同一の参照符号および記号は、特に明記しない限り、同一の対象を表す。本発明の実施形態は、本発明の好ましい形態を説明するための実施形態であり、その実施形態において説明される範囲に本発明の範囲を限定することは意図していないことに留意されたい。
【００３６】
次に図１を参照すると、図１は、本発明の一実施形態において使用されるデバイスの例示的な基本ブロック図を示す。
【００３７】
デバイス（１０１）は、例えば、デスクトップ、ラップトップ、ノートブック、埋込み型コンピュータ、シン・クライアント、タブレット、モバイル端末装置、銀行ＡＭ、自動券売機、コンピュータＫＩＯＳＫ、キャッシュ・レジスタ、セキュリティ・システム、スマートフォン、モバイル電話、ゲーム端末装置もしくはゲーム機器、またはインターネット・テレビであることが可能である。デバイス（１０１）は、スタンドアロンのコンピュータまたはクライアント・コンピュータであることが可能である。デバイス（１０１）は、バス（１０４）に接続された１つまたは複数のＣＰＵ（１０２）およびメイン・メモリ（１０３）を備えることが可能である。ＣＰＵ（１０２）は、好ましくは、３２ビット・アーキテクチャまたは６４ビット・アーキテクチャに基づくことが可能である。ＣＰＵ（１０２）は、例えば、インターナショナル・ビジネス・マシーンズ・コーポレーションのＰｏｗｅｒ（Ｒ）シリーズ、インテル・コーポレーションのＣｏｒｅ  ｉ（ＴＭ）シリーズ、Ｃｏｒｅ  ２（ＴＭ）シリーズ、Ａｔｏｍ（ＴＭ）シリーズ、Ｘｅｏｎ（ＴＭ）シリーズ、Ｐｅｎｔｉｕｍ（Ｒ）シリーズ、もしくはＣｅｌｅｒｏｎ（Ｒ）シリーズ、またはアドバンスト・マイクロ・デバイセズ社のＰｈｅｎｏｍ（ＴＭ）シリーズ、Ａｔｈｌｏｎ（ＴＭ）シリーズ、Ｔｕｒｉｏｎ（ＴＭ）シリーズ、もしくはＳｅｍｐｒｏｎ（ＴＭ）シリーズ、あるいはタブレット、モバイル端末装置、銀行ＡＭ、自動券売機、コンピュータＫＩＯＳＫ、キャッシュ・レジスタ、セキュリティ・システム、スマートフォン、モバイル電話、ゲーム端末装置もしくはゲーム機器、またはインターネット・テレビのために使用される他のＣＰＵであることが可能であるが、以上には限定されない。（「Ｐｏｗｅｒ」は、米国、他の国、またはその両方におけるインターナショナル・ビジネス・マシーンズ・コーポレーションの登録商標であり、「Ｃｏｒｅ  ｉ」、「Ｃｏｒｅ  ２」、「Ａｔｏｍ」、および「Ｘｅｏｎ」は、米国、他の国、またはその両方におけるインテル・コーポレーションの商標であり、かつ「Ｐｅｎｔｉｕｍ」および「Ｃｅｌｅｒｏｎ」は、登録商標であり、「Ｐｈｅｎｏｍ」、「Ａｔｈｌｏｎ」、「Ｔｕｒｉｏｎ」、および「Ｓｅｍｐｒｏｎ」は、米国、他の国、またはその両方におけるアドバンスト・マイクロ・デバイセズ社の商標である。）
【００３８】
液晶ディスプレイ（ＬＣＤ）などのディスプレイ（１０６）が、ディスプレイ・コントローラ（１０５）を介してバス（１０４）に接続されることが可能である。ディスプレイ（１０６）は、コンピュータの管理のために、適切なグラフィックス・インターフェースを使用して、通信線を介してネットワークに接続されたコンピュータに関する情報、およびコンピュータ上で実行されているソフトウェアに関する情報を表示するのに使用されることが可能である。
【００３９】
ディスプレイ（１０６）は、静電容量を測定することができるタッチ・ディスプレイであることが可能である。
【００４０】
ハードディスクまたはソリッド・ステート・ドライブなどのディスク（１０８）、およびＣＤ、ＤＶＤ、もしくはＢＤ（Ｂｌｕ−ｒａｙ（Ｒ）ディスク）などのドライブ（１０９）が、ＳＡＴＡコントローラまたはＩＤＥコントローラ（１０７）を介してバス（１０４）に接続されることが可能である。さらに、キーボード（１１１）およびマウス（１１２）が、キーボード−マウス・コントローラ（１１０）またはＵＳＢバス（図示せず）を介してバス（１０４）に接続されることが可能である。
【００４１】
Ｗｉｎｄｏｗｓ（Ｒ）、ＵＮＩＸ（Ｒ）、Ｍａｃ  ＯＳ（Ｒ）、Ｌｉｎｕｘ（Ｒ）、またはＪ２ＥＥ（Ｒ）などの、Ｊａｖａ（Ｒ）処理環境、Ｊａｖａ（Ｒ）アプリケーション、Ｊａｖａ（Ｒ）仮想マシン（ＶＭ）、およびＪａｖａ（Ｒ）ｊｕｓｔ−ｉｎ−ｔｉｍｅ（ＪＩＴ）コンパイラ、他のプログラム、および任意のデータが、メイン・メモリにロード可能であるようにディスク（１０８）に記憶される。（「Ｗｉｎｄｏｗｓ」は、米国、他の国、またはその両方におけるマイクロソフト・コーポレーションの登録商標であり、「ＵＮＩＸ」は、米国、他の国、またはその両方におけるオープン・グループの登録商標であり、「Ｍａｃ  ＯＳ」は、米国、他の国、またはその両方におけるアップル社の登録商標であり、「Ｌｉｎｕｘ」は、米国、他の国、またはその両方におけるリーナス・トーバルズの登録商標であり、「Ｊａｖａ」および「Ｊ２ＥＥ」は、米国、他の国、またはその両方におけるオラクル・アメリカ社の登録商標である）。）
【００４２】
ドライブ（１０９）は、必要な場合、ＣＤ−ＲＯＭ、ＤＶＤ−ＲＯＭ、またはＢＤから読取り可能な、本発明の一実施形態のコンピュータ・プログラムなどのプログラムをディスク（１０８）にインストールするのに、またはＣＤ−ＲＯＭ、ＤＶＤ−ＲＯＭ、またはＢＤから読取り可能な任意のデータをメイン・メモリ（１０３）またはディスク（１０８）にロードするのに使用されることが可能である。
【００４３】
通信インターフェース（１１４）は、例えば、Ｅｔｈｅｒｎｅｔ（Ｒ）プロトコルに基づくことが可能であるが、Ｅｔｈｅｒｎｅｔ（Ｒ）プロトコルには限定されない。通信インターフェース（１１４）は、通信コントローラ（１１３）を介してバス（１０４）に接続されることが可能であり、デバイス（１０１）を通信線（１１５）に物理的に接続し、デバイス（１０１）のオペレーティング・システムの通信機能のＴＣＰ／ＩＰ通信プロトコルにネットワーク・インターフェース層をもたらすことが可能である。この事例において、通信線（１１５）は、例えば、ＩＥＥＥ（Ｒ）８０２．１１ａ／ｂ／ｇ／ｎなどの、ただし、以上には限定されない、ワイヤレスＬＡＮ接続標準に基づく有線ＬＡＮ環境またはワイヤレスＬＡＮ環境であることが可能である（「ＩＥＥＥ」は、米国、他の国、またはその両方におけるＩｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，Ｉｎｃ．の登録商標である）。
【００４４】
デバイス（１０１）は、静電容量を測定することが可能なセンサ・デバイスに接続されることが可能である。
【００４５】
次に図２を参照すると、サーバ・コンピュータ（１２１）は、例えば、ワークステーション、ラックマウント型サーバ、ブレード型サーバ、またはメインフレーム・サーバであることが可能であるが、以上には限定されない。サーバ・コンピュータ（１２１）は、本発明の実施形態を実行するための仮想マシンまたはクラウド・コンピューティングを実行することが可能である。
【００４６】
サーバ・コンピュータ（１２１）は、ハードウェア・リソース（１３１）と、仮想マシン・モニタもしくは仮想オペレーティング・システムと呼ばれるハイパーバイザ（１３２）と、ドメイン０パーティションもしくは親パーティションと呼ばれる管理仮想マシン（１３３）と、ドメインＵパーティションもしくは子パーティションと呼ばれる１つまたは複数の仮想マシン１からｎ（１３４−１から１３４−２）とを備えることが可能である。
【００４７】
ハードウェア・リソース（１３１）は、１つまたは複数のＣＰＵ（１４１）と、メイン・メモリ（１４２）と、ハードディスクもしくはソリッド・ステート・ドライブＳＤＤなどのディスク（１４８）と、通信コントローラ（１４３）と、通信インターフェース（１４４）とを備えることが可能である。ＣＰＵ（１４１）、メイン・メモリ（１４２）、ディスク（１４８）、通信コントローラ（１４３）、および通信インターフェース（１４４）は、それぞれ、図１に記載されるＣＰＵ（１０２）、メイン・メモリ（１０３）、ディスク（１０８）、通信コントローラ（１１３）、および通信インターフェース（１１４）に対応することが可能である。
【００４８】
ハイパーバイザ（１３２）は、例えば、１つまたは複数の仮想マシンを作成して、実行することが可能なコンピュータ・ソフトウェア、ファームウェア、またはハードウェアの一部分であることが可能である。ハイパーバイザは、ハードウェア・リソース（１３１）上で直接に実行されることが可能である。ハイパーバイザ（１３２）は、ゲスト・オペレーティング・システム（１６６）を管理することが可能である。ハイパーバイザ（１３２）は、例えば、ＶＭｗａｒｅ（Ｒ）、Ｈｙｐｅｒ−Ｖ（Ｒ）、またはＸｅｎ（Ｒ）などの仮想ソフトウェアによって実現されることが可能であるが、そのような仮想ソフトウェアによって実現されることには限定されない。（「ＶＭｗａｒｅ」は、米国、他の国、またはその両方におけるＶＭＷａｒｅ社の登録商標であり、「Ｈｙｐｅｒ−Ｖ」は、米国、他の国、またはその両方におけるマイクロソフト・コーポレーションの登録商標であり、「Ｘｅｎ」は、米国、他の国、またはその両方におけるシトリックス・システムズ社の登録商標である）。）
【００４９】
管理仮想マシン（１３３）は、例えば、管理オペレーティング・システム（１５１）と、制御モジュール（１５２）と、仮想リソース（１５３）とを備えることが可能である。制御モジュール（１５２）は、管理オペレーティング・システム（１５１）上で実行され、ハイパーバイザ（１３２）にコマンドを発行することが可能である。制御モジュール（１５２）は、１つまたは複数の仮想マシン１からｎ（１３４−１、１３４−２）を生成することが可能である。さらに、制御モジュール（１５２）は、ゲスト・オペレーティング・システム（１５６）のための起動コマンドを発行し、仮想マシン１からｎ（１３４−１から１３４−２）の動作を制御することが可能である。仮想リソース（１５３）は、管理仮想マシン（１３３）に割り当てられたハードウェア・リソースであることが可能である。
【００５０】
サーバ・コンピュータ（１２１）は、仮想マシン１からｎ（１３４−１から１３４−２）のうちの少なくとも１つを実施することが可能である。仮想マシン１（１３４−１）は、仮想マシン、例えば、仮想ＣＰＵ（１６１）、仮想メモリ（１６２）、仮想ディスク（１６３）、仮想通信コントローラ（１６４）、および仮想通信インターフェース（１６５）を備えることが可能であるが、以上を備えることに限定されない。さらに、仮想マシン１（１３４−１）は、例えば、ゲスト・オペレーティング・システム（１６６）、および１つまたは複数のアプリケーション１からｎ（１６７−１から１６７−３）を備えることが可能であるが、以上を備えることに限定されない。
【００５１】
Ｗｉｎｄｏｗｓ（Ｒ）、ＵＮＩＸ（Ｒ）、またはＬｉｎｕｘ（Ｒ）などのゲスト・オペレーティング・システム（１６６）が、仮想マシン１（１３４−１）上で実行されることが可能である。同じことが、仮想マシンｎ（１３４−２）などの他の仮想マシンにも該当する。
【００５２】
１つまたは複数のアプリケーション（１６７−１、１６７−２、および１６７−３）が、ゲスト・オペレーティング・システム（１６６）上で実行されることが可能である。本発明の実施形態のコンピュータ・プログラムは、それらのアプリケーション（１６７−１、１６７−２、および１６７−３）のうちの１つとして実施されることが可能である。
【００５３】
本発明の一実施形態において、クライアント・デバイス（１０１）は、インターネットまたはイントラネットなどを介して、サーバ・コンピュータ（１２１）上で実施される仮想マシンに接続されることが可能である。
【００５４】
図３および図４、図５および図６、図７から図９が、本発明の実施形態において使用される流れ図を示す。
【００５５】
図３および図４は、人工物体の識別に先立つ、静電容量分布を登録するためのプロセスの流れ図の実施形態、静電容量分布と押印画像データのペアを登録するためのプロセスの流れ図の実施形態をそれぞれ示す。
【００５６】
デバイス（１０１）、サーバ・コンピュータ（１２１）、または他の任意のコンピュータなどの、静電容量分布、または静電容量分布と押印画像データのペアを登録するために使用されるコンピュータが、図３および図４に記載されるプロセスを実行することが可能である。図３および図４の説明において、コンピュータは、静電容量を測定することが可能なタッチ・ディスプレイを有すること、または静電容量を測定することが可能なタッチ・ディスプレイに接続されることが可能であるものと想定する。
【００５７】
静電容量分布、または静電容量分布と押印画像データのペアを登録することに先立って、ユーザまたは管理者が、事前登録された静電容量分布として静電容量分布を登録するための、または静電容量分布と押印画像データの事前登録されたペアとして静電容量分布と押印画像データのペアを登録するための人工物体を準備する、または得ることが可能である。
【００５８】
ユーザまたは管理者は、本発明の実施形態により人工物体を購入することが可能である。さもなければ、ユーザまたは管理者は、本発明の実施形態により人工物体を作成することが可能である。本発明の実施形態による人工物体は、後段で述べられる図１３および図１４において詳細に説明されることが可能である。人工物体の登録および認証には、特に、人工物体が、例えば、「承認」、「却下」、および「未決」に対応する複数の登録を有する場合、ユーザの意図が伴う。この事例において、人工物体は、ユーザの意図に関連付けられた静電容量分布の１つまたは複数の登録を有することが可能であり、その静電容量分布の合致が存在する場合、ユーザの意図として識別される。
【００５９】
次に図３を参照すると、図３は、人工物体の表面上の静電容量分布を、事前登録された静電容量分布としてストレージに登録するためのプロセスの流れ図の一実施形態を示す。
【００６０】
ステップ２０１において、コンピュータが、前述したプロセスを開始する。
【００６１】
ステップ２０２において、コンピュータが、ユーザまたは管理者によって、例えば、タッチ・ディスプレイにおけるセンサに触れるように置かれた人工物体を、その人工物体がそのタッチ・ディスプレイにタッチしたときに、またはそのタッチ・ディスプレイに近いときに、検出する。
【００６２】
ステップ２０３において、センサが、センサにおける１つまたは複数の電極を用いて、センサに触れるように置かれた人工物体の１つまたは複数の事前定義された表面において静電容量を測定する。一実施形態において、センサは、そのセンサの１つの電極、およびその人工物体の事前定義された表面のポイントを使用することによって静電容量を測定することが可能である。そのセンサが１つの電極を有する場合、人工物体の表面は、１つの電極を使用して、その電極を移動させることによって、またはその電極上で人工物体を移動させることによって走査されることが可能である。別の実施形態において、センサは、そのセンサにおける電極のそれぞれと、人工物体の事前定義された表面のポイントの間の静電容量を測定することが可能である。そのセンサが十分な電極を有しない場合、人工物体の表面は、それらの電極を使用して、それらの電極を移動させることによって、またはそれらの電極上で人工物体を移動させることによって走査されることが可能である。事前定義された表面とは、センサの表面に近いことが可能な区域を指す。
【００６３】
人工物体の事前定義された表面がセンサの表面と接触している場合、測定される静電容量は、センサの表面と接触しているポイントにおいて測定される静電容量、センサの表面と接触していないポイントにおいて測定される静電容量、またはこれらの組合せである。
【００６４】
人工物体の事前定義された表面がセンサの表面と接触していない場合、測定される静電容量は、静電容量が測定可能であり得るポイントにおける静電容量である。
【００６５】
コンピュータは、人工物体の生のデータ、すなわち、静電容量データを得る。
【００６６】
ステップ２０４において、コンピュータが、得られた静電容量データのそれぞれを、３つ以上の評価レベルを有する評価システムにおける評価レベルに変換して、人工物体の表面上の静電容量分布を得る。本発明の一実施形態において、評価レベルは、マルチビットによって、すなわち、シングルビットによってではなく、表されるグレーの様態で表現される。
【００６７】
ステップ２０６において、コンピュータが、得られた静電容量分布を、事前登録された静電容量分布としてストレージ（２８１）に登録する。ユーザの意図が、その静電容量分布に関連付けられることが可能であり、通常、人工物体が、例えば、「承認」、「却下」、および「未決」に対応する複数の事前登録された静電容量分布を有する場合に、静電容量分布に関連付けられたペアとして人工物体と一緒に登録されることが可能である。ストレージ（２８１）は、識別のために１つの静電容量分布、または複数の静電容量分布を記憶する。
【００６８】
ステップ２０７において、コンピュータが、前述したプロセスを終了させる。
【００６９】
各人工物体は、独特の静電容量分布を有する。したがって、事前登録された静電容量分布は、図５に記載される流れ図において見られるとおり、人工物体を識別するために使用されることが可能である。
【００７０】
次に図４を参照すると、図４は、人工物体の表面上の静電容量分布と押印画像データのペアを、静電容量分布と押印画像データの事前登録されたペアとしてストレージに登録するためのプロセスの流れ図の一実施形態を示す。
【００７１】
ステップ２１１において、コンピュータが、前述したプロセスを開始する。
【００７２】
ステップ２１２および２１３は、図３におけるステップ２０１および２０３にそれぞれ対応する。したがって、ステップ２０１および２０３の説明が、それぞれ、ステップ２１２および２１３に適用される。
【００７３】
ステップ２１４は、図３におけるステップ２０４に対応する。したがって、ステップ２０４の説明が、ステップ２１４に適用される。
【００７４】
ステップ２１５において、コンピュータが、３Ｄタッチパネルにおいて使用される平行型静電容量センサであることが可能なセンサを使用して、人工物体の表面に関する押印画像データを得る。押印画像データは、センサの表面と接触している区域の画像データである。一実施形態において、押印画像データは、静電容量データから導き出されることが可能である。
【００７５】
ステップ２１６において、コンピュータが、得られた静電容量分布と押印画像データのペアを、静電容量分布と押印画像データの事前登録されたペアとしてストレージ（２９１）に登録する。ユーザの意図が、静電容量分布および押印画像データに関連付けられたペアとして人工物体と一緒に登録されることが可能である。ストレージ（２９１）が、識別のために静電容量分布と押印画像データの１つのペア、またはそれらの複数のペアを記憶する。
【００７６】
ステップ２１７において、コンピュータが、前述したプロセスを終了させる。
【００７７】
図５および図６は、人工物体が識別されるか否かを結論づけるためのプロセスの流れ図の実施形態を示す。
【００７８】
図５および図６の説明において、一実施形態において、後段で述べられるステップの主題は、デバイス（１０１）であるものと想定する。さらに、一実施形態において、デバイス（１０１）は、静電容量を測定することが可能なタッチ・ディスプレイを有することが可能であるものと想定する。図５および図６において使用されるセンサは、図３および図４において使用されるものと同一、または同様であることが、不可欠でない可能性があるが、推奨される。
【００７９】
次に図５を参照すると、図５は、得られた静電容量分布が、１つの事前登録された静電容量分布、もしくは複数の事前登録された静電容量分布のうちの１つと合致するかどうかを判定するためのプロセスの流れ図の一実施形態を示す。
【００８０】
ステップ３０１において、デバイス（１０１）が、前述したプロセスを開始する。
【００８１】
ステップ３０２において、コンピュータが、ユーザによって、例えば、タッチ・ディスプレイにおけるセンサに触れるように置かれた人工物体を、その人工物体がそのタッチ・ディスプレイにタッチしたときに、またはそのタッチ・ディスプレイに近いときに、検出する。
【００８２】
ステップ３０３において、センサが、センサにおける１つまたは複数の電極を用いて、センサに触れるように置かれた人工物体の１つまたは複数の事前定義された表面において静電容量を測定する。一実施形態において、センサは、そのセンサの１つの電極、およびその人工物体の事前定義された表面のポイントを使用することによって静電容量を測定することが可能である。そのセンサが１つの電極を有する場合、人工物体の表面は、１つの電極を使用して、その電極を移動させることによって、またはその電極上で人工物体を移動させることによって走査されることが可能である。別の実施形態において、センサは、そのセンサにおける電極のそれぞれと、人工物体の事前定義された表面のポイントの間の静電容量を測定することが可能である。そのセンサが十分な電極を有しない場合、人工物体の表面は、それらの電極を使用して、それらの電極を移動させることによって、またはそれらの電極上で人工物体を移動させることによって走査されることが可能である。事前定義された表面とは、センサの表面に近いことが可能な区域を指す。
【００８３】
人工物体の事前定義された表面がセンサの表面と接触している場合、測定される静電容量は、センサの表面と接触しているポイントにおいて測定される静電容量、センサの表面と接触していないポイントにおいて測定される静電容量、またはこれらの組合せである。
【００８４】
人工物体の事前定義された表面がセンサの表面と接触していない場合、測定される静電容量は、静電容量が測定可能であり得るポイントにおける静電容量である。
【００８５】
デバイス（１０１）は、人工物体の生のデータ、すなわち、静電容量データを得る。
【００８６】
ステップ３０４において、デバイス（１０１）が、得られた静電容量データのそれぞれを、３つ以上の評価レベルを有する評価システムにおける評価レベルに変換して、人工物体の表面上の静電容量分布を得る。デバイス（１０１）は、図３に記載されるステップ２０４において使用されるのと同一の評価システムを使用する。本発明の一実施形態において、評価レベルは、マルチビットによって表されるグレーの様態で表現される。
【００８７】
一実施形態において、ステップ３０６において、デバイス（１０１）が、ストレージ（２８１）から事前登録された静電容量分布を得て、次に、得られた静電容量分布が事前登録された静電容量分布と合致するかどうかを判定することが可能である。これは、例えば、ストレージ（２８１）に１つの事前登録された静電容量分布が存在する事例である。例えば、ユーザ・コンピュータにおいてユーザ認証が要求される場合、１つの事前登録された静電容量分布で、ユーザを認証するのに十分である。実施形態において、その判定は、得られた静電容量分布の全体または部分が、事前登録された静電容量分布の全体または部分と合致するかどうかを判定することを含むことが可能である。別の実施形態において、その判定は、得られた静電容量分布の特徴ポイントのすべてまたは部分が、事前登録された静電容量分布の特徴ポイントのすべてまたは部分と合致するかどうかを判定することを含むことが可能である。
【００８８】
別の実施形態において、ステップ３０６において、デバイス（１０１）が、複数の事前登録された静電容量分布の中で、得られた静電容量分布と合致する静電容量分布を探索し、次に、得られた静電容量分布が、事前登録された静電容量分布のうちの１つと合致するかどうかを判定することが可能である。これは、例えば、ストレージ（２８１）に複数の事前登録された静電容量分布が存在する事例である。例えば、共有されるコンピュータを使用するため、またはセキュリティで保護された区域に入るためにユーザ認証が要求される場合、複数の事前登録された静電容量分布が、各ユーザを認証するのに必要である。例えば、チェス、碁（もしくは囲碁）のゲーム、将棋（もしくはジャパニーズ・チェス）のゲーム、またはチャイニーズ・チェスのゲームなどの各ゲームの駒の識別が必要である場合、複数の事前登録された静電容量分布が、各ゲームの駒を識別するのに必要である。別の実施形態において、その判定は、得られた静電容量分布の全体または部分が、事前登録された静電容量分布のうちの１つの全体または部分と合致するかどうかを判定することを含むことが可能である。ユーザの意図が、静電容量分布に関連付けられたペアとして人工物体に関連付けられて登録される場合、ユーザの意図も、人工物体に加えて特定される。単一の人工物体が、異なるユーザ意図に関連付けられて、複数回、登録される事例が存在する。例えば、人工物体が、「承認」、「却下」、および「未決」を表す３つのシグネット表面を有する。この事例において、静電容量分布を識別する場合、人工物体とともに、その表面に関連付けられたユーザ意図も特定される。
【００８９】
ステップ３０７において、判定結果が肯定的である場合、デバイス（１０１）が、ステップ３０８に進む。一方、コンピュータは、その判定結果が肯定的ではない場合、ステップ３０９に進む。
【００９０】
ステップ３０８において、デバイス（１０１）が、人工物体が識別されたと結論づける。デバイス（１０１）は、人工物体が識別されたという結果をタッチ・ディスプレイ上に表示することが可能である。必要な場合、デバイス（１０１）は、図７、図８、または図９に記載されるプロセスに進む。
【００９１】
ステップ３０９において、デバイス（１０１）が、人工物体が識別されていないと結論づける。デバイス（１０１）は、人工物体が識別されていないという結果をタッチ・ディスプレイ上で示すことが可能である。
【００９２】
ステップ３１０において、デバイス（１０１）が、前述したプロセスを終了させる。
【００９３】
前述の説明において述べたとおり、前述のステップの主題は、デバイス（１０１）である。しかし、デバイス（１０１）がクライアント・デバイスである、またはデバイス（１０１）がサーバ・コンピュータ（１２１）に接続され得る場合、デバイス（１０１）が、ステップ３０２および３０３を実行することが可能であり、サーバ・コンピュータ（１２１）が、ステップ３０４から３０９を実行することが可能である。ステップ３０２において、人工物体の静電容量データを得た後、デバイス（１０１）が、人工物体の静電容量データをサーバ・コンピュータ（１２１）に送信することが可能であり、次に、サーバ・コンピュータ（１２１）が、その静電容量データを受信することが可能である。
【００９４】
次に図６を参照すると、図６は、得られた静電容量分布と押印画像データのペアが、静電容量分布と押印画像データの事前登録された１つのペア、もしくは静電容量分布と押印画像データの事前登録された複数のペアのうちの１つと合致するかどうかを判定するためのプロセスの流れ図の一実施形態を示す。
【００９５】
ステップ３１１において、デバイス（１０１）が、前述したプロセスを開始する。
【００９６】
ステップ３１２は、図５におけるステップ３０２に対応する。したがって、ステップ３０２の説明が、ステップ３１２に適用される。
【００９７】
ステップ３１３は、図５におけるステップ３０３に対応する。したがって、ステップ３０３の説明が、ステップ３１３に適用される。さらに、ステップ３１３において、デバイス（１０１）が、生のデータ、すなわち、押印画像データの生のデータを同時に得ることが可能である。
【００９８】
ステップ３１４は、図５におけるステップ３０４に対応する。したがって、ステップ３０４の説明が、ステップ３１４に適用される。
【００９９】
ステップ３１５において、デバイス（１０１）が、３Ｄタッチパネルにおいて使用される平行型静電容量センサであり得るセンサを使用して、人工物体の表面に関する押印画像データを識別する。押印画像データは、センサの表面と接触している区域の画像データである。一実施形態において、押印画像データは、人工物体の１つまたは複数の事前定義された表面がシグネットの面である場合、そのシグネットの面に関する押印画像データであることが可能である。
【０１００】
一実施形態において、ステップ３１６において、デバイス（１０１）が、ストレージ（２９１）から静電容量分布と押印画像データの事前登録されたペアを得て、次に、静電容量分布と押印画像データの得られたペアが、静電容量分布と押印画像データの事前登録されたペアと合致するかどうかを判定することが可能である。これは、例えば、ストレージ（２９１）に静電容量分布と押印画像データの１つの事前登録されたペアが存在する事例である。例えば、ユーザ・コンピュータにおいてユーザ認証が要求される場合、静電容量分布と押印画像データの１つの事前登録されたペアで、そのユーザを認証するのに十分である。
【０１０１】
別の実施形態において、ステップ３１６において、デバイス（１０１）が、ストレージ（２９１）からの静電容量分布と押印画像データの事前登録されたペアの中で、静電容量分布と押印画像データの得られたペアと合致する静電容量分布と押印画像データのペアを探索して、次に、静電容量分布と押印画像データの得られたペアが、静電容量分布と押印画像データの１つの事前登録されたペアと合致するかどうかを判定することが可能である。これは、例えば、ストレージ（２９１）に静電容量分布と押印画像データの複数の事前登録されたペアが存在する事例である。例えば、共有されるコンピュータを使用するため、またはセキュリティで保護された区域に入るためにユーザ認証が要求される場合、複数の事前登録された静電容量分布が、各ユーザを認証するのに必要である。例えば、チェス、碁（もしくは囲碁）のゲーム、将棋（もしくはジャパニーズ・チェス）のゲーム、またはチャイニーズ・チェスのゲームなどの各ゲームの駒の識別が必要である場合、静電容量分布と押印画像データの複数の事前登録されたペアが、各ゲームの駒を識別するのに必要である。さらに、ユーザの意図が、静電容量分布と押印画像データのペアに関連付けられたペアとして人工物体に関連付けられて登録される場合、ユーザの意図も、特定される。
【０１０２】
ステップ３１７から３１９は、図５におけるステップ３０７から３０９にそれぞれ対応する。したがって、ステップ３０７から３０９の説明が、それぞれ、ステップ３１７から３１９に適用される。
【０１０３】
ステップ３２０において、デバイス（１０１）が、前述したプロセスを終了させる。
【０１０４】
前段の説明において述べたとおり、前述したステップの主題は、デバイス（１０１）である。しかし、デバイス（１０１）がクライアント・デバイスである、またはデバイス（１０１）がサーバ・コンピュータ（１２１）に接続され得る場合、デバイス（１０１）が、ステップ３１２および３１３を実行することが可能であり、サーバ・コンピュータ（１２１）が、ステップ３１４から３１９を実行することが可能である。ステップ３１２において、人工物体の静電容量データを得た後、デバイス（１０１）が、人工物体の静電容量データをサーバ・コンピュータ（１２１）に送信することが可能であり、次に、サーバ・コンピュータ（１２１）が、その静電容量データを受信することが可能である。
【０１０５】
図７から図１０は、人工物体が識別されたと結論づけられた後のプロセスの流れ図の実施形態を示す。
【０１０６】
図７から図１０の説明において、一実施形態において、後段で述べるステップの主題は、デバイス（１０１）であるものと想定する。さらに、一実施形態において、デバイス（１０１）は、静電容量を測定することが可能なタッチ・ディスプレイを有することが可能であるものと想定する。
【０１０７】
次に図７を参照すると、図４は、人工物体に関連付けられたユーザを識別するための、またはそのようなユーザの認証を実行するためのプロセスの流れ図の一実施形態を示す。
【０１０８】
ステップ４０１において、デバイス（１０１）が、前述したプロセスを開始する。
【０１０９】
一実施形態において、ステップ４０２において、デバイス（１０１）が、ユーザ・データベース（４９１）を使用して、人工物体に関連付けられたユーザを識別することが可能である。ユーザ・データベース（４９１）は、人工物体の静電容量分布とその静電容量分布に関連付けられたユーザのペアを記憶する。識別の後、デバイス（１０１）は、ユーザが識別されたという趣旨の情報を表示することが可能である。
【０１１０】
別の実施形態において、ステップ４０２において、デバイス（１０１）が、ユーザ・データベース（４９１）、および信頼できる機関から導き出された証明書（２９９）を使用して、ユーザの認証を実行することが可能である。
【０１１１】
ステップ４０３において、デバイス（１０１）が、前述したプロセスを終了させる。
【０１１２】
次に図８を参照すると、図８は、得られた静電容量分布をキーまたはＩＤとして使用するためのプロセスの流れ図の一実施形態を示す。
【０１１３】
ステップ４１１において、デバイス（１０１）が、前述したプロセスを開始する。
【０１１４】
ステップ４１２において、デバイス（１０１）が、得られた静電容量分布を暗号化キー、復号キー、プライベート・キーもしくはアンロック・キー、またはユーザＩＤなどの識別子として使用することが可能である。暗号化キー、復号キー、およびプライベート・キーは、例えば、暗号化システムのために使用されることが可能である。アンロック・キーは、例えば、セキュリティで保護された区域に入るためのキーのために使用されることが可能である。識別子は、例えば、サーバ・コンピュータ、または特定のＵＲＬもしくはファイルにアクセスするために使用されることが可能である。
【０１１５】
ステップ４１３において、デバイス（１０１）が、前述したキー、または識別子により、事前定義されたプロセスを実行することが可能である。得られた静電容量分布が暗号化キーとして使用される場合、デバイス（１０１）は、その暗号化キーを使用してファイルまたは文書を暗号化することが可能である。得られた静電容量分布が復号キーとして使用される場合、デバイス（１０１）は、その復号キーを使用してファイルまたは文書を復号することが可能である。得られた静電容量分布がプライベート・キーとして使用される場合、デバイス（１０１）は、そのプライベート・キーを使用して、ファイルまたは文書を暗号化すること、あるいは暗号化されたファイルまたは文書を復号することが可能である。
【０１１６】
ステップ４１４において、デバイス（１０１）が、前述したプロセスを終了させる。
【０１１７】
次に図９を参照すると、図９は、得られた静電容量分布を、キーまたはＩＤを生成するための種として使用するためのプロセスの流れ図の一実施形態を示す。
【０１１８】
ステップ４２１において、デバイス（１０１）が、前述したプロセスを開始する。
【０１１９】
ステップ４２２において、デバイス（１０１）が、得られた静電容量分布を、暗号化キー、復号キー、プライベート・キーもしくはアンロック・キー、またはユーザＩＤを生成するための種として使用して、キーまたは識別子を生成することが可能である。当業者は、知られている技術により、その静電容量分布に基づいてキーまたは識別子を生成することが可能である。
【０１２０】
ステップ４２３において、デバイス（１０１）が、図８のステップ４１３に記載されるのと同様の様態で、前述した生成されたキー、または識別子により、事前定義されたプロセスを実行することが可能である。
【０１２１】
ステップ４２４において、デバイス（１０１）が、前述したプロセスを終了させる。
【０１２２】
次に図１０を参照すると、図１０は、人工物体に関連付けられたユーザの意図を識別するためのプロセスの流れ図の一実施形態を示す。
【０１２３】
ステップ４３１において、デバイス（１０１）が、前述したプロセスを開始する。
【０１２４】
ステップ４３２において、デバイス（１０１）が、測定された静電容量分布に基づいて、人工物体に関連付けられたユーザの意図を識別することが可能である。ユーザの意図は、例えば、「承認」、「却下」、および「未決」であることが可能であるが、以上には限定されない。人工物体は、「承認」、「却下」、および「未決」、またはそれらに関連する用語の文字の押印パターンが立体的に造形された複数の表面を有することが可能である。
【０１２５】
ステップ４３３において、デバイス（１０１）が、識別されたユーザの意図により、事前定義されたプロセスを実行することが可能である。
【０１２６】
ステップ４３４において、デバイス（１０１）が、前述したプロセスを終了させる。
【０１２７】
次に図１１を参照すると、図１１は、センサ上の人工物体の検出の実施形態を示す。
【０１２８】
図１１の上部に記載される実施形態（５０１）が、人工物体（５１１）の所与の表面が、静電容量を測定することが可能なセンサ（５４１）の表面と接触していることを示す。
【０１２９】
人工物体（５１１）は、センサ（５４１）の表面と接触していることが可能ないくつかの表面（５２１、５２２、および５２３）と、センサ（５４１）の表面と接触していることが可能でないいくつかの表面（５３１、５３２、５３３、５３４、および５３５）とを有する。それらの表面（５２１、５２２、および５２３、ならびに５３１、５３２、５３３、５３４、および５３５）は、導電性を有し、センサ（５４１）の表面に近接した様々な位置にある。
【０１３０】
センサ（５４１）は、（ａ）シリコン基板と、（ｂ）能動回路と、（ｃ）電極と、（ｄ）保護層とを有する。センサ（５４１）の表面とは、保護層を指すことが可能である。
【０１３１】
人工物体（５１１）の表面（５２１、５２２、および５２３）がセンサ（５４１）の表面と接触している場合、センサ（５４１）は、センサ（５４１）における電極のそれぞれと人工物体（５１１）の表面（５２１、５２２、および５２３、ならびに５３１、５３２、５３３、５３４、および５３５）のポイントの間の静電容量を測定することが可能であり、そのポイントは、センサ（５４１）における電極のそれぞれに面している。測定される静電容量は、センサ（５４１）の表面と接触しているポイント（５２１、５２２、および５２３）において測定される静電容量、センサ（５４１）の表面と接触していないポイント（５３１、５３２、５３３、５３４、および５３５）において測定される静電容量、または以上の組合せである。上部に記載される実施形態（５０１）において、静電容量は、理解を容易にするために長円として示される。
【０１３２】
図１１の下部に記載される実施形態（５０２）が、人工物体（５５１）の所与の表面がセンサ（５８１）の表面と接触しておらず、かつ人工物体（５５１）が、センサ（５８１）が人工物体（５５１）の静電容量を測定することが可能であるように十分にその表面に近い（５８２）ことを示す。
【０１３３】
人工物体（５５１）は、上部に記載される実施形態（５０１）において説明される人工物体（５１１）と同一である。
【０１３４】
センサ（５８１）は、上部に記載される実施形態（５０１）において説明されるセンサ（５４１）と同一である。
【０１３５】
人工物体（５５１）がセンサ（５８１）の表面と接触しておらず、かつ人工物体（５５１）とセンサ（５８１）の表面が十分に近い（５８２）場合、センサ（５８１）は、センサ（５８１）における電極のそれぞれと人工物体（５５１）の表面（５６１、５６２、および５６３、ならびに５７１、５７２、５７３、５７４、および５７５）のポイントの間の静電容量を測定することが可能であり、そのポイントは、センサ（５８１）における電極のそれぞれに面している。したがって、測定静電容量は、人工物体（５５１）がセンサ（５８１）の表面（５６１、５６２、および５６３、ならびに５７１、５７２、５７３、５７４、および５７５）と接触していない場合に測定された静電容量の相対値である。
【０１３６】
次に図１２を参照すると、図１２は、静電容量分布の実施形態を示す。
【０１３７】
静電容量分布（５９１）は、従来のシングルビット閾値様態によって得られる。
【０１３８】
静電容量分布（５９２および５９３）は、複数レベル評価を使用して本発明の実施形態によって得られる。
【０１３９】
静電容量分布（５９１）は、得られた静電容量データのそれぞれをシングルビット閾値、すなわち、０または１というバイナリに変換することによって静電容量分布を示す。
【０１４０】
静電容量分布（５９２および５９３）は、得られた静電容量データのそれぞれを３ビット・グレー・レベル、すなわち、０から７に変換することによって静電容量分布を示す。３ビット・グレー・レベルにおいて、３ビット・グレー・レベルにおけるレベル０から３は、バイナリにおける０に対応し、３ビット・グレー・レベル４から７は、バイナリにおける１に対応する。２つの人工物体が存在する場合、一方の静電容量値は、７であり（５９２）、他方は、４であり（５９３）、これらの静電容量分布（５９２および５９３）は、異なるように識別される一方で、従来の方法においては、これらの静電容量分布は、（５９１）のように測定されて同一である可能性がある。
【０１４１】
次に図１３および図１４を参照すると、図１３および図１４は、人工物体の実施形態を示す。本発明は、後段で示されるとおり、従来の押印画像に加えて、くぼみの深さ、材料、および空洞のパターンを導入することによってシグネットのセキュリティ・フィーチャを強化する。このことは、今日、登場しつつある３Ｄ印刷技術を用いて押印画像をコピーすることがより容易であるものの、静電容量をコピーすることは、依然として困難であるため、シグネットを偽造することの困難さを高める。
【０１４２】
人工物体のそれぞれは、後段で述べられるとおり、様々な導電性または誘電率を有する。
【０１４３】
実施形態の第１の態様（６０１）は、人工物体がシグネットであることを示す。シグネット（６１１、６１２、および６１３）のそれぞれは、１つまたは複数の金属、１つまたは複数の導電性ポリマー、１つまたは複数の導電性充填材、１つまたは複数の導電性接着剤、１つまたは複数の導電性コーティング材料、および以上の組合せから成る群から選択され得る１つまたは複数の種類の材料から構成されるものと想定する。しかし、シグネット（６１１、６１２、および６１３）の間の材料の種類は、特に、導電性または誘電率あるいはその両方の点において、互いに異なる。したがって、シグネット（６１１、６１２、および６１３）のそれぞれの面上の得られる静電容量分布は、シグネット（６１１、６１２、および６１３）のそれぞれに固有である。
【０１４４】
実施形態の第２の態様（６０２）が、人工物体が、深さが異なる１つまたは複数のくぼみを有することを示す。それらのくぼみは、シグネットなどの、人工物体の面が作成された際に作成されている。人工物体（６２１、６２２、および６２３）のそれぞれは、同一の導電性を有する同一の材料から構成されるものと想定する。人工物体（６２１、６２２、および６２３）のそれぞれにおけるくぼみ（６２１における（ｂ）および（ｃ）、６２２における（ｆ）および（ｇ）、ならびに６２３における（ｊ）および（ｋ））の形状は、互いに異なる。表面は、くぼみの深さまたはパターンあるいはその両方の点で異なることが可能である。したがって、人工物体（６２１、６２２、および６２３）のそれぞれの面上の得られる静電容量分布は、人工物体（６２１、６２２、および６２３）のそれぞれに固有である。人工物体（６２３）において、人工物体（６２３）の表面は、複数のくぼみ（（ｉ）、（ｊ）、および（ｋ））を有し、それらのくぼみ（（ｉ）、（ｊ）、および（ｋ））の側壁または底部は、それらのくぼみ（（ｉ）、（ｊ）、および（ｋ））の表面以外の表面（ｉ）に対して斜めである。
【０１４５】
実施形態の第３の態様（６０３）が、人工物体が、異なる導電性または異なる誘電率あるいはその両方を有する複数の材料から構成されることを示す。人工物体（６３１、６３２、および６３３）のそれぞれは、くぼみの同一の形状を有するものと想定する。人工物体（６３１）は、人工物体（６３１）の表面の符号（ｍ）および（ｎ）において示される、近接した位置における異なる材料を有する。符号（ｍ）および（ｎ）によって示される材料は、互いに同一であることも、異なることも可能である。同様に、人工物体（６３２）は、人工物体（６３２）の表面の、符号（ｏ）および（ｐ）において示される、近接した位置における異なる材料を有する。符号（ｏ）および（ｐ）によって示される材料は、互いに同一であることも、異なることも可能である。同様に、人工物体（６３３）は、人工物体（６３３）の表面の、符号（ｑ）において示される、近接した位置における異なる材料を有する。したがって、人工物体（６３１、６３２、および６３３）のそれぞれの面上の得られる静電容量分布は、人工物体（６３１、６３２、および６３３）のそれぞれに固有である。前段で示されるとおり、表面に近接している人工物体の部分が、異なる導電性または異なる誘電率を有する１つまたは複数の材料から構成されることが許されることが可能である。近接した位置にある人工物体の表面は、１つまたは複数の金属、１つまたは複数の導電性ポリマー、１つまたは複数の導電性充填材、１つまたは複数の導電性接着剤、１つまたは複数の導電性コーティング材料、および以上の組合せから成る群から選択された材料から構成されることが可能である。
【０１４６】
実施形態の第４の態様（６０４）が、人工物体の１つまたは複数の表面が、１つまたは複数の導電性ポリマーで覆われていること、１つまたは複数の導電性コーティング材料を塗られていることを示す。人工物体（６４１、６４２、および６４３）の各本体が、くぼみを含む同一の形状を有し、かつ同一の導電性を有する同一の材料から構成されるものと想定する。しかし、人工物体（６４１、６４２、および６４３）の各々の表面は、１つまたは複数の導電性ポリマーで異なる様態で覆われる、または１つまたは複数の導電性コーティング材料を異なる様態で塗られる。人工物体（６４１）において、センサの表面と接触していることが可能な表面（（ｒ）および（ｕ））だけが、導電性ポリマーで覆われ、または導電性コーティング材料を塗られ、したがって、センサの表面と接触していることが可能でない表面（（ｓ）および（ｔ））は、導電性ポリマーで覆われることも、導電性コーティング材料を塗られることもない。人工物体（６４２）において、センサの表面と接触していることが可能な表面（（ｖ）および（ｘ））が、導電性ポリマーで覆われ、または導電性コーティング材料を塗られ、くぼみ（（ｗ）および（ｕ））の表面（（ｗ）および（ｕ））および側壁もやはり、表面（（ｖ）および（ｘ））上の導電性ポリマーとは異なる導電性ポリマーで覆われる。人工物体（６４２）の異なる実施形態では、導電性ポリマーで覆われているくぼみ（（ｗ）および（ｕ））の表面（（ｗ）および（ｕ））および側壁だけが考慮される。人工物体（６４３）において、すべての表面が、１つの導電性ポリマーで覆われる、または１つの導電性コーティング材料が塗られる。したがって、人工物体（６４１、６４２、および６４３）の各々の面上の得られる静電容量分布は、人工物体（６４１、６４２、および６４３）のそれぞれに固有である。当業者は、人工物体（６４１、６４２、および６４３）において見られる、人工物体の表面をどのように覆うべきか、または塗るべきかを知る、または容易に理解することが可能である。前段で示されるとおり、人工物体の表面は、異なる導電性または異なる誘電率を有する１つまたは複数の材料から構成されることが可能である。人工物体の表面は、１つまたは複数の金属、１つまたは複数の導電性ポリマー、１つまたは複数の導電性充填材、１つまたは複数の導電性接着剤、１つまたは複数の導電性コーティング材料、および以上の組合せから成る群から選択された材料から構成されることが可能である。
【０１４７】
実施形態の第５の態様（６０５）が、人工物体が、表面の不定の近接した位置において１つまたは複数の空胴を有することを示す。人工物体（６５１、６５２、および６５３）のそれぞれが、くぼみを含む同一の形状を有し、かつ同一の導電性を有する同一の材料から構成されるものと想定する。しかし、人工物体（６５１、６５２、および６５３）の空洞の数および空洞の位置は、互いに異なる。したがって、人工物体（６５１、６５２、および６５３）の各々の面上の得られる静電容量分布は、人工物体（６５１、６５２、および６５３）のそれぞれに固有である。
【０１４８】
実施形態の第６の態様（６０６）が、同一の材料、または異なる材料（ｘおよびｙ）から構成された本体（６６１）が、１つまたは複数の導電性接着剤（ｚ）を用いて互いに接着されていることを示す。本体（６６１）は、異なる導電性または異なる誘電率あるいはその両方、あるいは非導電性または非誘電率を有する材料（ｘおよびｙ）から構成されることが可能である。導電性接着剤は、例えば、導電性成分として銀、銅、または黒鉛を備え、かつ粘着性成分としてワニスまたは合成樹脂を備える。
【０１４９】
実施形態の第７の態様（６０７）が、複数の材料が、人工物体の表面上に交互に、あるいはランダムな様態で、傾斜様態で、または格子様態で配置されていることを示す。人工物体（６７１から６７５）のそれぞれは、銀行カードもしくはクレジット・カード、出入（entrance）キー・カード、雇用ＩＤカード、トラベル・カード、ショッピング・カード、または医療情報カードなどのカードであるものと想定する。カード（６７１）において、異なる導電性を有する異なる材料が、代替として、そのカード上に垂直に塗られる。カード（６７２）において、異なる導電性を有する異なる材料が、代替として、そのカード上に水平に塗られる。カード（６７３）において、異なる導電性を有する異なる材料が、代替として、そのカード上に対角線状に塗られる。カード（６７４）において、異なる導電性を有する異なる材料が、そのカード上に傾斜様態で塗られる。カード（６７５）において、異なる導電性を有する異なる材料が、そのカード上に格子様態で塗られる。したがって、カード（６７１から６７５）の各々の面上で得られる静電容量分布は、カード（６７１から６７５）のそれぞれに固有である。それらの材料は、１つまたは複数の金属、１つまたは複数の導電性ポリマー、１つまたは複数の導電性充填材、１つまたは複数の導電性接着剤、１つまたは複数の導電性コーティング材料、および以上の組合せから成る群から選択されることが可能である。
【０１５０】
実施形態の第７の態様（６０７）において、複数の材料が交互に配置され、カード上でストライプの間の幅は、同一である、または異なる。
【０１５１】
コストに鑑みて、実施形態の第４の態様（６０４）が、シグネットなどの市販の人工物体が、１つまたは複数の導電性ポリマーで覆われた、または１つまたは複数の導電性コーティング材料を塗られた後に、本発明の実施形態による人工物体として使用され得るため、最も費用対効果が大きい。
【０１５２】
前述の第１から第７の態様において説明されるとおり、静電容量分布は、人工物体において使用される材料にだけではなく、人工物体の形状またはジオメトリにも依存して変わる可能性がある。したがって、異なる導電性または異なる誘電率あるいはその両方を有する異なる材料における様々な材料が、人工物体において使用される場合、または様々な形状もしくはジオメトリが作成される場合、そのことは、実質的に複製不能な人工物体を作成することを可能にする。
【０１５３】
図１５および図１６は、人工物体が識別されたと結論づけた後に本発明の実施形態により使用される実施形態を示す。
【０１５４】
次に図１５を参照すると、図１５は、本発明の実施形態により使用される様々なユーザ・インターフェースの実施形態を示す。
【０１５５】
ユーザ・インターフェース（７０１）が、例えば、ユーザが共有されるコンピュータを使用しようと試みると、タッチ・ディスプレイ上に表示される。ユーザ・インターフェース（７０１）は、「ここにシグネットを押して、認証を確認してください」と表示する。ユーザが、本発明の実施形態によりユーザのシグネットでディスプレイにタッチすると、図５または図６に示されるプロセスが実行される。人工物体が識別されたと結論づけられた後、ユーザは、共有されるコンピュータを使用することができる。このことは、そのシグネットのユーザが認証されたことを意味する。
【０１５６】
ユーザ・インターフェース（７１１）が、例えば、ユーザが、セキュリティ室に入ろうと試みると、ディスプレイ上に表示される。ユーザ・インターフェース（７１１）は、「カード・リーダにカード・キーをタッチして、セキュリティ区域に入ってください」と表示する。ユーザが、本発明の実施形態によりユーザのセキュリティ・カードでディスプレイにタッチすると、図５に示されるプロセスが実行される。人工物体が識別されたと結論づけられた後、ユーザは、セキュリティ区域に入ることができる。このことは、そのカードのユーザが認証されたことを意味する。
【０１５７】
ユーザ・インターフェース（７２１）が、例えば、ユーザが、承認のために電子文書に押印すると、ディスプレイ上に表示される。ユーザが、本発明の実施形態によりユーザのシグネットで領域（７２２）にタッチすると、図５または図６に示されるプロセスが実行される。人工物体が識別されたと結論づけられた後、ユーザのシグネットの押印画像が領域（７２２）内に現れる。このことは、そのシグネットが認証されたことを意味する。承認回覧が、複数の認証されたシグネット（７２２、７２３）を押すことによって実現され得る。
【０１５８】
次に図１６を参照すると、図１６は、ゲームの駒である人工物体の実施形態を示す。
【０１５９】
ゲーム端末装置上のタッチ・ディスプレイ（７３１）が、チェス盤を表示する。チェスの駒のそれぞれは、現実のチェスの駒、すなわち、人工物体である。チェスの駒のそれぞれは、固有の静電容量分布に関連する。チェスの駒のそれぞれに関する静電容量分布は、センサを使用して、そのセンサにおける電極のそれぞれとチェスの駒の底部のポイントの間で測定される静電容量データのそれぞれを変換することによって得られる。
【０１６０】
（７３１におけるｃ−７）の位置のポーンの駒が（７３２におけるｃ−５）の位置に移されると、タッチ・ディスプレイ（７３１、および現在は７３２）におけるセンサが、プレーヤが手に駒を持っている間に、センサの電極のそれぞれとそのポーンの駒（７４１）の底部（７４２）のポイントの間の静電容量を測定する。ゲーム端末装置が、得られた静電容量データのそれぞれを、３つ以上の評価レベルを有する評価システムにおける評価レベルに変換して、そのポーンの駒（７４１）の底部（７４２）上の静電容量分布を得る。ゲーム端末装置は、チェスの駒のそれぞれから得られた複数の事前登録された静電容量分布の中で、得られた静電容量分布と合致する静電容量分布を探索し、次に、得られた静電容量分布が、事前登録された静電容量分布のうちの１つと合致するかどうかを判定する。その判定結果が肯定的である場合、ゲーム端末装置は、そのポーンの駒（７４１）が識別されたと結論づける。ゲーム端末装置は、そのポーンの駒（７４１）の移動をストレージに記録する。その判定結果が肯定的ではない場合、ゲーム端末装置は、そのポーンの駒（７４１）が欠落しており、識別されていないと結論づけ、そのポーンの駒（７４１）が識別されていないというアラートを発行することが可能である。このようにして、チェスの駒の移動が、ゲーム端末装置のストレージに自動的に記録される。図１６の実施形態において、チェスの駒の各静電容量分布がＩＤ物体として使用される。
【０１６１】
図１７および図１８は、センサおよびデバイス、あるいはセンサ、デバイス、およびサーバ・コンピュータの全体的な機能ブロック図の実施形態を示す。
【０１６２】
次に図１７を参照すると、図１７は、センサ（８５１）およびデバイス（８０１）の全体的な機能ブロック図の一実施形態を示す。
【０１６３】
図１７に示される実施形態において、デバイス（８０１）が、人工物体が識別されたと結論づける。
【０１６４】
デバイス（８０１）は、図１に示されるデバイス（１０１）に対応することが可能である。デバイス（８２１）は、センサ（８５１）に接続されることが可能である。
【０１６５】
センサ（８５１）は、センサにおける１つまたは複数の電極を用いて、センサに触れるように置かれた人工物体の１つまたは複数の事前定義された表面において静電容量を測定することが可能である。
【０１６６】
デバイス（８０１）は、受信セクション（８１１）と、変換セクション（８１２）と、判定セクション（８１３）とを備える。デバイス（８０１）は、ユーザ識別セクション（８１４）、認証セクション（８１５）、および処理セクション（８１６）のうちの少なくとも１つを備えることが可能である。
【０１６７】
受信セクション（８１１）は、センサ（８５１）における１つまたは複数の電極を用いて、センサ（８５１）に触れるように置かれた人工物体の１つまたは複数の事前定義された表面を測定することによって得られた静電容量データを受信することが可能である。さらに、受信セクション（８１１）は、人工物体の同一の部分を測定することによって得られた押印画像データを受信し、その人工物体がシグネットである場合、シグネットの面に関する押印画像データを識別することが可能である。
【０１６８】
受信セクション（８１１）は、図５に示されるステップ３０３、および図６に示されるステップ３１３を実行することが可能である。
【０１６９】
変換セクション（８１２）は、得られた静電容量データのそれぞれを、３つ以上の評価レベルを有する評価システムにおける評価レベルに変換して、人工物体の表面上の静電容量分布を得ることが可能である。
【０１７０】
変換セクション（８１２）は、図５に示されるステップ３０４、および図６に示されるステップ３１４を実行することが可能である。
【０１７１】
判定セクション（８１３）は、得られた静電容量分布が、事前登録された静電容量分布（２８１）と合致するかどうかを判定することが可能である。さらに、判定セクション（８１３）は、得られた静電容量分布が、事前登録された静電容量分布（２８１）のうちの１つと合致するかどうかを判定することが可能である。
【０１７２】
判定セクション（８１３）は、その判定結果が肯定的である場合、その人工物体が識別されたと結論づけることが可能である。
【０１７３】
また、判定セクション（８１３）は、人工物体がシグネットである場合、得られた静電容量分布と押印画像データのペアが、静電容量分布と押印画像データの事前登録されたペアと合致するかどうかを判定することも可能である。さらに、判定セクション（８１３）は、人工物体がシグネットである場合、得られた静電容量分布と押印画像データのペアが、静電容量分布と押印画像データの事前登録されたペアのうちの１つと合致するかどうかを判定することも可能である。
【０１７４】
また、判定セクション（８１３）は、得られた静電容量分布の全体または部分が、事前登録された静電容量分布の全体または部分と合致するかどうかを判定することも可能である。また、判定セクション（８１３）は、得られた静電容量分布の全体または部分が、事前登録された静電容量分布のうちの１つの全体または部分と合致するかどうかを判定することも可能である。
【０１７５】
また、判定セクション（８１３）は、得られた静電容量分布の特徴ポイントのすべてまたは部分が、事前登録された静電容量分布の特徴ポイントのすべてまたは部分と合致するかどうかを判定することが可能である。また、判定セクション（８１３）は、得られた静電容量分布の特徴ポイントのすべてまたは部分が、事前登録された静電容量分布のうちの１つの特徴ポイントのすべてまたは部分と合致するかどうかを判定することが可能である。
【０１７６】
判定セクション（８１３）は、その判定結果が肯定的である場合、その人工物体が識別されたと結論づけることが可能であり、その判定結果が肯定的ではない場合、その人工物体が識別されていないと結論づけることが可能である。
【０１７７】
判定セクション（８１３）は、図５に示されるステップ３０６から３０９、および図６に示されるステップ３１６から３１９を実行することが可能である。
【０１７８】
ユーザ識別セクション（８１４）が、人工物体が識別された場合、ユーザ・データベース（４９１）を使用して、その人工物体に関連付けられたユーザを識別することが可能である。
【０１７９】
ユーザ識別セクション（８１４）は、図７に示されるステップ４０２のユーザ識別のためのプロセスを実行することが可能である。
【０１８０】
認証セクション（８１５）が、人工物体が識別された場合、ユーザ・データベース（４９１）、および信頼できる機関から導き出された証明書（２９９）を使用して、その人工物体に関連付けられたユーザの認証を実行することが可能である。
【０１８１】
認証セクション（８１５）は、図７に示されるステップ４０２の人工物体に関連付けられたユーザの認証を実行することが可能である。
【０１８２】
処理セクション（８１６）が、得られた静電容量分布を、暗号化キー、復号キー、プライベート・キー、アンロック・キーなどのキー（８９１）、あるいはユーザ識別子または人工物体識別子などの識別子（８９２）として使用することが可能である。さらに、処理セクション（８１６）が、得られた静電容量分布を、暗号化キー、復号キー、プライベート・キー、アンロック・キーなどのキー（８９１）、あるいはユーザ識別子または人工物体識別子などの識別子（８９２）を生成するための種として使用することが可能である。さらに、処理セクション（８１６）は、前述したキー（８９１）または識別子（８９２）により、事前定義されたプロセスを実行することが可能である。
【０１８３】
処理セクション（８１６）は、得られた静電容量分布を、暗号化キー、復号キー、プライベート・キーもしくはアンロック・キー、またはユーザＩＤを生成するための種として使用して、キーまたは識別子を生成することが可能である。さらに、処理セクション（８１６）は、前述した生成されたキー、または識別子により、事前定義されたプロセスを実行することが可能である。
【０１８４】
処理セクション（８１６）は、人工物体が識別された場合、その人工物体に関連付けられたユーザの意図を識別することが可能である。さらに、処理セクション（８１６）は、その識別されたユーザの意図により、事前定義されたプロセスを実行することが可能である。
【０１８５】
処理セクション（８１６）は、図８に示されるステップ４１２および４１３、図９に示されるステップ４２２および４２３、ならびに図１０に示されるステップ４３２および４３３を実行することが可能である。
【０１８６】
次に図１８を参照すると、図１８は、センサ（９５１）、クライアント・デバイス（９０１）、およびサーバ・コンピュータ（９２１）の全体的な機能ブロック図の一実施形態を示す。
【０１８７】
図１８に示される実施形態において、サーバ・コンピュータ（９２１）が、人工物体が識別されたと結論づける。
【０１８８】
クライアント・デバイス（９０１）は、図１に示されるデバイス（１０１）に対応することが可能である。デバイス（９０１）は、センサ（９５１）に接続されることが可能である。クライアント・デバイス（９０１）は、イントラネットまたはインターネットを介してサーバ・コンピュータ（９２１）に接続されることが可能である。
【０１８９】
センサ（９５１）は、センサにおける１つまたは複数の電極を用いて、センサに触れるように置かれた人工物体の１つまたは複数の事前定義された表面における静電容量を測定することが可能である。
【０１９０】
クライアント・デバイス（９０１）は、受信セクション（９１１）と、実行セクション（９１２）とを備える。
【０１９１】
受信セクション（９１１）は、センサ（８５１）を使用して測定された静電容量データを得て、次に、得られた静電容量データをサーバ・コンピュータ（９１１）に送信することが可能である。
【０１９２】
実行セクション（９１２）は、前述したキー（９９１）または識別子（９９２）を受信し、次に、前述したキー（９９１）または識別子（９９２）により、事前定義されたプロセスを実行することが可能である。
【０１９３】
サーバ・コンピュータ（９２１）は、図２に示されるサーバ・コンピュータ（１２１）に対応することが可能である。
【０１９４】
サーバ・コンピュータ（９２１）は、受信セクション（９３１）と、変換セクション（９３２）と、判定セクション（９３３）とを備える。サーバ・コンピュータ（９２１）は、ユーザ識別セクション（９３４）、認証セクション（９３５）、および処理セクション（９３６）のうちの少なくとも１つを備えることが可能である。
【０１９５】
受信セクション（９３１）、変換セクション（９３２）、判定セクション（９３３）、ユーザ識別セクション（９３４）、認証セクション（９３５）、および処理セクション（９３６）は、それぞれ、受信セクション（８１１）、変換セクション（８１２）、判定セクション（８１３）、ユーザ識別セクション（８１４）、認証セクション（８１５）、および処理セクション（８１６）に対応する。したがって、図１７に示される各セクション（８１１、８１２、８１３、８１４、８１５、および８１６）の説明が、各セクション（９１１、９１２、９１３、９１４、９１５、および９１６）に適用される。
【０１９６】
さらに、受信セクション（９３１）は、受信セクション（９１１）から静電容量データを受信することが可能である。
【０１９７】
さらに、ユーザ識別セクション（９３４）は、人工物体に関連付けられたユーザが識別された、または人工物体に関連付けられたユーザが識別されていないという結果をクライアント・デバイス（９０１）に送信することが可能である。
【０１９８】
さらに、認証セクション（９３５）は、人工物体に関連付けられたユーザが認証された、または人工物体に関連付けられたユーザが認証されていないという結果をクライアント・デバイス（９０１）に送信することが可能である。
【０１９９】
さらに、認証セクション（９３５）は、暗号化キー、復号キー、プライベート・キー、アンロック・キーなどのキー（９９１）、あるいはユーザ識別子または人工物体識別子などの識別子（９９２）をクライアント・デバイス（９０１）に送信することが可能である。
【０２００】
本発明は、方法、システム、またはコンピュータ・プログラム製品、あるいはその組合せであることが可能である。コンピュータ・プログラム製品は、プロセッサに本発明の態様を実行させるためのコンピュータ可読プログラム命令を有するコンピュータ可読記憶媒体（または複数のコンピュータ可読記憶媒体）を含むことが可能である。
【０２０１】
コンピュータ可読記憶媒体は、命令実行デバイスによって使用されるように命令を保持し、記憶することが可能な有形のデバイスであることが可能である。コンピュータ可読記憶媒体は、例えば、電子ストレージ・デバイス、磁気ストレージ・デバイス、光ストレージ・デバイス、電磁ストレージ・デバイス、半導体ストレージ・デバイス、または以上の任意の適切な組合せであることが可能であるが、以上には限定されない。コンピュータ可読記憶媒体のより具体的な例の網羅的でないリストには、以下、すなわち、ポータブル・コンピュータ・ディスケット、ハードディスク、ランダム・アクセス・メモリ（ＲＡＭ）、読取り専用メモリ（ＲＯＭ）、消去可能なプログラマブル読取り専用メモリ（ＥＰＲＯＭもしくはフラッシュ・メモリ）、スタティック・ランダム・アクセス・メモリ（ＳＲＡＭ）、ポータブル・コンパクト・ディスク読取り専用メモリ（ＣＤ−ＲＯＭ）、デジタル・バーサタイル・ディスク（ＤＶＤ）、メモリ・スティック、フロッピー（Ｒ）・ディスク、命令が記録されたパンチカードまたは溝の中の隆起した構造などの機械的に符号化されたデバイス、および以上の任意の適切な組合せが含まれる。本明細書で使用されるコンピュータ可読記憶媒体は、電波もしくは他の自由に伝播する電磁波、導波路もしくは他の伝送媒体を介して伝播する電磁波（例えば、光ファイバ・ケーブルを通過する光パルス）、または配線を介して伝送される電気信号などの、一時的な信号そのものであると解釈されるべきではない。
【０２０２】
本明細書で説明されるコンピュータ可読プログラム命令は、コンピュータ可読記憶媒体からそれぞれのコンピューティング・デバイスまたは処理デバイスに、またはネットワーク、例えば、インターネット、ローカル・エリア・ネットワーク、ワイド・エリア・ネットワーク、またはワイヤレス・ネットワーク、あるいはその組合せを経由して外部コンピュータまたは外部ストレージ・デバイスにダウンロードされることが可能である。ネットワークは、銅伝送ケーブル、光伝送ファイバ、ワイヤレス伝送、ルータ、ファイアウォール、スイッチ、ゲートウェイ・コンピュータ、またはエッジ・サーバ、あるいはその組合せを備えることが可能である。各コンピューティング・デバイスまたは各処理デバイスにおけるネットワーク・アダプタ・カードまたはネットワーク・インターフェースが、ネットワークからコンピュータ可読プログラム命令を受信し、それらのコンピュータ可読プログラム命令を、それぞれのコンピューティング・デバイスまたは処理デバイスの内部のコンピュータ可読記憶媒体に記憶するために転送する。
【０２０３】
本発明の動作を実行するためのコンピュータ可読プログラム命令は、アセンブラ命令、命令セット・アーキテクチャ（ＩＳＡ）命令、機械命令、機械依存の命令、マイクロコード、ファームウェア命令、状態設定データ、あるいはＳｍａｌｌｔａｌｋ（Ｒ）、Ｃ＋＋などのオブジェクト指向プログラミング言語、および「Ｃ」プログラミング言語もしくは類似したプログラミング言語などの従来の手続き型プログラミング言語を含む１つまたは複数のプログラミング言語の任意の組合せで書かれたソース・コードもしくはオブジェクト・コードであることが可能である。コンピュータ可読プログラム命令は、完全にユーザのコンピュータ上で実行されても、一部がユーザのコンピュータ上で実行されても、スタンドアロンのソフトウェア・パッケージとして実行されても、一部がユーザのコンピュータ上で実行され、一部が遠隔コンピュータ上で実行されても、あるいは完全に遠隔のコンピュータもしくはサーバ上で実行されてもよい。完全に遠隔のコンピュータもしくはサーバ上で実行されるシナリオにおいて、その遠隔のコンピュータは、ローカル・エリア・ネットワーク（ＬＡＮ）またはワイド・エリア・ネットワーク（ＷＡＮ）を含む任意のタイプのネットワークを介してユーザのコンピュータに接続されることが可能であり、あるいは接続は、外部のコンピュータに対して行われることが可能である（例えば、インターネット・サービス・プロバイダを使用してインターネットを介して）。いくつかの実施形態において、例えば、プログラマブル・ロジック回路、フィールド・プログラマブル・ゲート・アレイ（ＦＰＧＡ）、またはプログラマブル・ロジック・アレイ（ＰＬＡ）を含む電子回路が、コンピュータ可読プログラム命令の状態情報を利用することによってコンピュータ可読プログラム命令を実行して、本発明の態様を実行するためにその電子回路を個人用設定することが可能である。
【０２０４】
本発明の態様は、本発明の実施形態による方法、装置（システム）、およびコンピュータ・プログラム製品の流れ図またはブロック図あるいはその両方を参照して、本明細書で説明されている。それらの流れ図またはブロック図あるいはその両方の各ブロック、ならびにそれらの流れ図またはブロック図あるいはその両方におけるブロックの組合せは、コンピュータ可読プログラム命令によって実装され得ることが理解されよう。
【０２０５】
これらのコンピュータ可読プログラム命令は、コンピュータまたは他のプログラマブル・データ処理装置のプロセッサを介して実行される命令が、流れ図またはブロック図あるいはその両方の１つまたは複数のブロックにおいて指定される機能もしくは動作を実施するための手段を作成するように、汎用コンピュータ、専用コンピュータ、または他のプログラマブル・データ処理装置のプロセッサに供給されて、マシンを作り出すものであってよい。また、これらのコンピュータ可読プログラム命令は、命令を記憶しているコンピュータ可読記憶媒体が、流れ図またはブロック図あるいはその両方の１つまたは複数のブロックにおいて指定される機能もしくは動作の態様を実施する命令を含む製造品を備えるように、コンピュータ可読記憶媒体に記憶され、コンピュータ、プログラマブル・データ処理装置、または他のデバイス、あるいはその組合せに特定の様態で機能するよう指示するものであってもよい。
【０２０６】
また、これらのコンピュータ可読プログラム命令は、コンピュータ、他のプログラマブル装置、または他のデバイス上で実行される命令が、流れ図またはブロック図あるいはその両方の１つまたは複数のブロックにおいて指定される機能もしくは動作を実施するように、コンピュータ実施プロセスを実現するべく、コンピュータ、他のプログラマブル・データ処理装置、または他のデバイスにロードされ、コンピュータ、他のプログラマブル装置、または他のデバイス上で一連の動作ステップを実行させるものであってもよい。
【０２０７】
図における流れ図およびブロック図は、本発明の様々な実施形態によるシステム、方法、およびコンピュータ・プログラム製品の可能な実施様態のアーキテクチャ、機能、および動作を示す。これに関して、流れ図またはブロック図における各ブロックは、指定された論理機能を実施するための１つまたは複数の実行可能な命令を含む命令のモジュール、セグメント、または部分を表すことが可能である。いくつかの代替の実施様態において、ブロックに記載される機能は、図に記載される順序を外れて行われてもよい。例えば、連続して示される２つのブロックが、関与する機能に依存して、実際には、実質的に並行して実行されてもよく、またはそれらのブロックが、ときとして、逆の順序で実行されてもよい。また、ブロック図または流れ図あるいはその両方の各ブロック、ならびにブロック図または流れ図あるいはその両方におけるブロックの組合せは、指定された機能もしくは動作を実行する、または専用のハードウェア命令およびコンピュータ命令の組合せを実行する専用のハードウェア・ベースのシステムによって実施され得ることにも留意されたい。
【０２０８】
「ある〜」または「１つの〜」という表現は、「少なくとも１つの〜」として理解されるものとする。
【０２０９】
「ある〜」または「１つの〜」を「備える（含む）」または「備えた（含んだ）」という表現は、「少なくとも１つの〜を備える（含む）」または「少なくとも１つの〜を備えた（含んだ）」として理解されるものとする。
【０２１０】
「備える（含む）」または「備えた（含んだ）」という表現は、「少なくとも〜を備える（含む）」または「少なくとも〜を備えた（含んだ）」として理解されるものとする。
【０２１１】
「または」という表現は、「および」または「または」として理解されるものとする。
【符号の説明】
【０２１２】
１０１  デバイス
１０２  ＣＰＵ
１０３  メイン・メモリ
１０４  バス
１０５  ディスプレイ・コントローラ
１０６  ディスプレイ
１０７  ＳＡＴＡコントローラ
１０８  ディスク
１０９  ドライブ
１１０  キーボード−マウス・コントローラ
１１１  キーボード
１１２  マウス
１１３  通信コントローラ
１１４  通信インターフェース
１１５  通信線
１２１  サーバ・コンピュータ
１３１  ハードウェア・リソース
１３２  ハイパーバイザ
１３３  管理仮想マシン
１３４−１  仮想マシン
１３４−２  仮想マシン
１４２  メイン・メモリ
１４３  通信コントローラ
１４４  通信インターフェース
１４８  ディスク
１５１  管理オペレーティング・システム
１５２  制御モジュール
１５３  仮想リソース
１６１  仮想ＣＰＵ
１６２  仮想メモリ
１６３  仮想ディスク
１６４  仮想通信コントローラ
１６５  仮想通信インターフェース
１６６  ゲスト・オペレーティング・システム
１６７−１  アプリケーション
１６７−２  アプリケーション
１６７−３  アプリケーション
２８１  ストレージ
２９１  ストレージ
２９９  証明書
４９１  ユーザ・データベース
７２１  ユーザ・インターフェース
８０１  デバイス
８１１  受信セクション
８１２  変換セクション
８１３  判定セクション
８１４  ユーザ識別セクション
８１５  認証セクション
８１６  処理セクション
８５１  センサ
８９１  キー
２９９  証明書
９０１  クライアント・デバイス
９１１  受信セクション
９１２  実行セクション
９２１  サーバ・コンピュータ
９３１  受信セクション
９３２  変換セクション
９３３  判定セクション
９３４  ユーザ識別セクション
９３５  認証セクション
９３６  処理セクション
９５１  センサ
９９１  キー
【図１】
2017092959.tif 000003
【図２】
2017092959.tif 000004
【図３】
2017092959.tif 000005
【図４】
2017092959.tif 000006
【図５】
2017092959.tif 000007
【図６】
2017092959.tif 000008
【図７】
2017092959.tif 000009
【図８】
2017092959.tif 000010
【図９】
2017092959.tif 000011
【図１０】
2017092959.tif 000012
【図１１】
2017092959.tif 000013
【図１２】
2017092959.tif 000014
【図１３】
2017092959.tif 000015
【図１４】
2017092959.tif 000016
【図１５】
2017092959.tif 000017
【図１６】
2017092959.tif 000018
【図１７】
2017092959.tif 000019
【図１８】
2017092959.tif 000020